(57)【要約】  データ送受信方法及び装置が提供される。前記方法は、ネットワーク装置が端末装置にデータスケジューリング制御情報を送信し；前記ネットワーク装置が前記端末装置に、１つ又は複数の周波数領域帯域幅リソースを指示するための第一指示情報を送信し；及び、前記ネットワーク装置が前記端末装置送信の上りリンクデータを受信することを含む。これにより、周波数スペクトルリソースの利用効率を向上させ、伝送レイテンシを減少させ、また、スケジューリングの柔軟性を保証することができる。
2021530159.tif 000002
【特許請求の範囲】
【請求項１】
データ受信装置であって、
端末装置にデータスケジューリング制御情報を送信する情報送信ユニットであって、前記データスケジューリング制御情報は、前記端末装置が上りリンクデータの関連情報を送信するように指示するために用いられる、情報送信ユニット；
其前記端末装置に、１つ又は複数の周波数領域帯域幅リソースを指示するための第一指示情報を送信する指示送信ユニット；及び
前記端末装置により送信される前記上りリンクデータを受信するデータ受信ユニットを含む、装置。
【請求項２】
請求項１に記載の装置であって、
前記データ受信ユニットはアンライセンス周波数バンドで前記上りリンクデータを受信し、
前記指示送信ユニットはアンライセンス周波数バンド又はライセンス周波数バンドで前記第一指示情報を送信し、及び／又は、前記情報送信ユニットはアンライセンス周波数バンド又はライセンス周波数バンドで前記データスケジューリング制御情報を送信する、装置。
【請求項３】
請求項１に記載の装置であって、
アンライセンス周波数バンドのチャネルを検出して前記１つ又は複数の周波数領域帯域幅リソースを確定するチャネル検出ユニットをさらに含み、
前記第一指示情報はさらに、
前記１つ又は複数の周波数領域帯域幅リソースが、
前記端末装置が上りリンクデータを送信し得る帯域幅リソース；
ネットワーク装置が下りリンクデータを送信する帯域幅リソース；及び
前記端末装置が前記ネットワーク装置のチャネル占用時間を共有して上りリンクデータを送信し得る帯域幅リソース
のうちの少なくとも１つであることを指示するために用いられる、装置。
【請求項４】
請求項１に記載の装置であって、
前記第一指示情報は、前記データスケジューリング制御情報の後に送信され、又は、前記第一指示情報は、前記データスケジューリング制御情報の前に送信される、装置。
【請求項５】
請求項１に記載の装置であって、
前記第一指示情報は、上りリンクデータトリガー情報をキャリー（ｃａｒｒｙ）する第一制御情報に含まれ、前記上りリンクデータトリガー情報は、前記端末装置が前記上りリンクデータを送信するようにトリガーするために用いられる、装置。
【請求項６】
請求項１に記載の装置であって、
前記第一指示情報は、第一制御情報とは異なる第二制御情報に含まれ、前記第一制御情報は、前記端末装置が前記上りリンクデータを送信するようにトリガーするために用いられる上りリンクデータトリガー情報をキャリーし、
前記指示送信ユニットはさらに、前記端末装置に、前記上りリンクデータトリガー情報を含む前記第一制御情報を送信するために用いられる、装置。
【請求項７】
請求項１に記載の装置であって、
前記データスケジューリング制御情報はさらに、前記端末装置がスケジューリング帯域幅リソースで前記上りリンクデータを送信する可用時間周波数リソースを指示するための関連情報を含む、装置。
【請求項８】
請求項７に記載の装置であって、
前記データ受信ユニットは、前記１つ又は複数の周波数領域帯域幅リソースと、前記可用時間周波数リソースとのオーバーラップリソースで前記上りリンクデータを受信する、装置。
【請求項９】
請求項７に記載の装置であって、
前記スケジューリング帯域幅リソースは、デフォルトのサイズであり；又は
前記スケジューリング帯域幅リソースは、
前記ネットワーク装置が、
前記データスケジューリング制御情報により前記スケジューリング帯域幅リソースを指示し；
上位層シグナリングにより前記スケジューリング帯域幅リソースを設定し；及び
システム情報により前記スケジューリング帯域幅リソースを設定する
方式のうちの少なくとも１つの方式で、前記端末装置に通知する、装置。
【請求項１０】
請求項５に記載の装置であって、
前記第一制御情報は、ユーザ専用制御情報又は共通制御情報であり、前記第一制御情報はさらに、上り下りリンク構成を指示するための第二指示情報を含む、装置。
【請求項１１】
請求項１０に記載の装置であって、
前記第一制御情報はさらに、前記第一指示情報の有効時間長を指示する情報を含み、又は、前記第二指示情報はさらに、前記第一指示情報の有効時間長を指示するために用いられ、
前記有効時間長及び／又は前記第二指示情報の単位がシンボル、スロット、サブフレーム、及びｍｓのうちの少なくとも１つである、装置。
【請求項１２】
請求項１に記載の装置であって、
前記上りリンクデータの送信時刻が第一指示情報の有効時間長内にあれば、前記データ受信ユニットは前記送信時刻において前記上りリンクデータを受信し、
前記上りリンクデータの送信時刻が第一指示情報の前記有効時間長内になければ、前記データ受信ユニットは次の１つの第一指示情報を送信した後に前記上りリンクデータを受信する、装置。
【請求項１３】
請求項１に記載の装置であって、
前記第一指示情報が、
前記１つ又は複数の周波数領域帯域幅リソースの周波数領域リソース集合；
前記１つ又は複数の周波数領域帯域幅リソースのうちの１つの周波数領域帯域幅リソース；
前記１つ又は複数の周波数領域帯域幅リソースのうちの各周波数領域リソース；及び
前記ネットワーク装置により事前に割り当てられたライセンス周波数バンドのリソース
のうちの少なくとも１つのリソースで送信される、装置。
【請求項１４】
データ送信装置であって、
ネットワーク装置により送信されるデータスケジューリング制御情報を受信する情報受信ユニットであって、前記データスケジューリング制御情報は、端末装置が上りリンクデータの関連情報を送信するように指示するために用いられる、情報受信ユニット；
前記ネットワーク装置により送信される、１つ又は複数の周波数領域帯域幅リソースを指示するための第一指示情報を受信する指示受信ユニット；及び
前記ネットワーク装置に前記上りリンクデータを送信するデータ送信ユニットを含む、装置。
【請求項１５】
データ送信装置であって、
ネットワーク装置により送信されるデータスケジューリング制御情報を受信する情報受信ユニットであって、前記データスケジューリング制御情報は、端末装置が上りリンクデータの関連情報を送信するように指示するために用いられる、情報受信ユニット；
前記ネットワーク装置に前記上りリンクデータを送信するデータ送信ユニット；及び
前記ネットワーク装置に、１つ又は複数の周波数領域帯域幅リソースを指示するための第一指示情報を送信する指示送信ユニットを含む、装置。
【請求項１６】
請求項１５に記載の装置であって、さらに、
前記ネットワーク装置の指示に基づいて、スケジューリング帯域幅リソースにおける周波数領域帯域幅リソースを検出する帯域幅検出ユニット；及び
１つ又は複数の帯域幅の検出結果に基づいて、前記１つ又は複数の周波数領域帯域幅リソースを確定するリソース確定ユニットを含む、装置。
【請求項１７】
請求項１５に記載の装置であって、
前記第一指示情報はさらに、
前記１つ又は複数の周波数領域帯域幅リソースが、
前記端末装置が前記上りリンクデータを送信する帯域幅リソース；
前記ネットワーク装置が下りリンクデータを送信し得る帯域幅リソース；
前記ネットワーク装置が前記端末装置のチャネル占用時間を共有して下りリンクデータを送信し得る帯域幅リソース
のうちの少なくとも１つであることを指示するために用いられる、装置。
【請求項１８】
請求項１５に記載の装置であって、
前記指示送信ユニットは、
前記上りリンクデータを送信した周波数領域リソースで前記第一指示情報を送信し；
前記上りリンクデータを送信した１つ又は複数の周波数領域帯域幅リソースのうちの１つの周波数領域リソースで前記第一指示情報を送信し；
前記上りリンクデータを送信した各周波数領域帯域幅リソースで前記第一指示情報を送信し；又は
前記ネットワーク装置により事前に割り当てられたリソースで前記第一指示情報を送信する、装置。
【請求項１９】
請求項１６に記載の装置であって、
情報受信ユニットをさらに含み、
前記情報受信ユニットは、
前記ネットワーク装置により送信されるスケジューリング方式情報を受信し、前記スケジューリング方式情報は、前記端末装置が上りリンクデータトリガー情報を使用して又は使用せずに前記上りリンクデータを送信するように指示し；又は
前記ネットワーク装置により送信されるアンライセンス周波数バンドのチャネルアクセス方式指示情報を受信し、前記アンライセンス周波数バンドのチャネルアクセス方式指示情報は、前記端末装置が上りリンクデータトリガー情報を使用して又は使用せずに前記上りリンクデータを送信することを確定するように指示する、装置。
【請求項２０】
請求項１６に記載の装置であって、
前記第一指示情報は指示情報及び／又はシーケンスシンボルを含む、装置。
【発明の詳細な説明】
【技術分野】
【０００１】
本発明は、通信技術分野に関し、特に、データ送受信方法及び装置に関する。
【背景技術】
【０００２】
近年、無線通信技術が迅速に発達しており、３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）規格化では、Ｒｅｌ．１５がリリースされている。Ｒｅｌ．１３から、容量の更なる拡張を考慮して、ＬＴＥ（Ｌｏｎｇ  Ｔｅｒｍ  Ｅｖｏｌｕｔｉｏｎ）技術では、アンライセンス周波数バンドを用いる伝送の研究が行われている。アンライセンス周波数バンド使用の公平性及び干渉制御を保証するために、ＬＢＴ（Ｌｉｓｔｅｎ  Ｂｅｆｏｒｅ  Ｔａｌｋ）メカニズムが導入されており、即ち、アンライセンスアクセス装置は、データ送信の準備の前に、まず、ターゲット周波数周波数バンドが他の伝送データにより占用されているかをモニタリングする。
【０００３】
ＬＴＥ規格では、以下の２種類のＬＢＴ方式が提供されている。
【０００４】
第１種のＬＢＴ：装置が、まず、チャネル（又は周波数バンド）が一定の期間内でアイドル状態にあるかを検出し、アイドル状態にあると判断した後に、該装置は依然として１つのコンテンションウィンドウの時間を検出する必要があり；コンテンションウィンドウ内で該チャネルが依然としてアイドル状態にある場合、該装置は該チャネルを用いてデータを送信し；
第２種のＬＢＴ：装置が、持続的にチャネル（又は周波数バンド）を２５マイクロ秒モニタリングし、アイドル状態にあると判断したら、該装置は直接該チャネルを利用してデータを送信し；該装置がアンライセンス周波数バンドにアクセスした後に、占用時間は最大チャネル占用時間（ＭＣＯＴ、Ｍａｘｉｍｕｍ  Ｃｈａｎｎｅｌ  Ｏｃｃｕｐａｎｃｙ  Ｔｉｍｅ）を超えてはいけない。
【０００５】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００６】
発明者が次のようことを発見した。即ち、今のところ、アンライセンス周波数バンドの上りリンクデータ伝送について、ネットワーク装置及び端末装置は、実際に使用されている周波数領域帯域幅リソースに対して一致した情報を得ることができない場合がある。これにより、周波数スペクトルリソースの利用効率が低下し、又は、伝送レイテンシが増加する恐れがある。
【０００７】
上述の問題のうちの少なくとも１つを解決するために、本発明の実施例は、データ送受信方法及び装置を提供する。
【課題を解決するための手段】
【０００８】
本発明の実施例における第一側面によれば、データ受信方法が提供され、該方法は、
ネットワーク装置が端末装置にデータスケジューリング制御情報を、前記端末装置に上りリンクデータの関連情報の送信を指示するために送信し；
前記ネットワーク装置が前記端末装置に、１つ又は複数の周波数領域帯域幅リソースを指示するための第一指示情報を送信し；及び
前記ネットワーク装置が前記端末装置送信の前記上りリンクデータを受信することを含む。
【０００９】
本発明の実施例における第二側面によれば、データ受信装置が提供され、該装置は、
端末装置にデータスケジューリング制御情報を送信する情報送信ユニットであって、前記データスケジューリング制御情報は前記端末装置に、上りリンクデータの関連情報の送信を指示するために用いられる、情報送信ユニット；
前記端末装置に、１つ又は複数の周波数領域帯域幅リソースを指示するための第一指示情報を送信する指示送信ユニット；及び
前記端末装置送信の前記上りリンクデータを受信するデータ受信ユニットを含む。
【００１０】
本発明の実施例における第三側面によれば、データ送信方法が提供され、該方法は、
端末装置がネットワーク装置送信のデータスケジューリング制御情報を受信し、前記データスケジューリング制御情報は前記端末装置に、上りリンクデータの関連情報の送信を指示するために用いられ；
前記端末装置が前記ネットワーク装置送信の、１つ又は複数の周波数領域帯域幅リソースを指示するための第一指示情報を受信し；及び
前記端末装置が前記ネットワーク装置に前記上りリンクデータを送信することを含む。
【００１１】
本発明の実施例における第四側面によれば、データ送信装置が提供され、該装置は、
ネットワーク装置送信のデータスケジューリング制御情報を受信する情報受信ユニットであって、前記データスケジューリング制御情報は前記端末装置に、上りリンクデータの関連情報の送信を指示するために用いられる、情報受信ユニット；
前記ネットワーク装置送信の、１つ又は複数の周波数領域帯域幅リソースを指示するための第一指示情報を受信する指示受信ユニット；及び
前記ネットワーク装置に前記上りリンクデータを送信するデータ送信ユニットを含む。
【００１２】
本発明の実施例における第五側面によれば、データ受信方法が提供され、該方法は、
ネットワーク装置が端末装置にデータスケジューリング制御情報を、前記端末装置に上りリンクデータの関連情報の送信を指示するために送信し；
前記ネットワーク装置が前記端末装置送信の前記上りリンクデータを受信し；及び
前記ネットワーク装置が前記端末装置送信の、１つ又は複数の周波数領域帯域幅リソースを指示するための第一指示情報を受信することを含む。
【００１３】
本発明の実施例における第六側面によれば、データ受信装置が提供され、該装置は、
端末装置にデータスケジューリング制御情報を送信する情報送信ユニットであって、前記データスケジューリング制御情報は前記端末装置に、上りリンクデータの関連情報の送信を指示するために用いられる、情報送信ユニット；
前記端末装置送信の前記上りリンクデータを受信するデータ受信ユニット；及び
前記端末装置送信の、１つ又は複数の周波数領域帯域幅リソースを指示するための第一指示情報を受信する指示受信ユニットを含む。
【００１４】
本発明の実施例における第七側面によれば、データ送信方法が提供され、該方法は、
端末装置がネットワーク装置送信のデータスケジューリング制御情報を受信し、前記データスケジューリング制御情報は前記端末装置に、上りリンクデータの関連情報の送信を指示するために用いられ；
前記端末装置が前記ネットワーク装置に前記上りリンクデータを送信し；及び
前記端末装置が前記ネットワーク装置に１つ又は複数の周波数領域帯域幅リソースを指示するための第一指示情報を送信することを含む。
【００１５】
本発明の実施例における第八側面によれば、データ送信装置が提供され、該装置は、
ネットワーク装置送信のデータスケジューリング制御情報を受信する情報受信ユニットであって、前記データスケジューリング制御情報は前記端末装置に、上りリンクデータの関連情報の送信を指示するために用いられる、情報受信ユニット；
前記ネットワーク装置に前記上りリンクデータを送信するデータ送信ユニット；及び
前記ネットワーク装置に、１つ又は複数の周波数領域帯域幅リソースを指示するための第一指示情報を送信する指示送信ユニットを含む。
【００１６】
本発明の実施例における第九側面によれば、通信システムが提供され、該システムは、
上述のデータ受信装置を含むネットワーク装置；及び
上述のデータ送信装置を含む端末装置を含む。
【００１７】
本発明の実施例における有益な効果は次の通りであり、即ち、ネットワーク装置が端末装置に、１つ又は複数の周波数領域帯域幅リソースを指示するための第一指示情報を送信し、又は、端末装置がネットワーク装置に、１つ又は複数の周波数領域帯域幅リソースを指示するための第一指示情報を送信することにより、ネットワーク装置及び端末装置は実際に使用されている周波数領域帯域幅リソースに対して一致性を達成することができるため、周波数スペクトルリソースの利用効率を向上させ、伝送レイテンシを減少させ、また、スケジューリングの柔軟性を保証することができる。
【００１８】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１９】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【図１】本発明の実施例における通信システムを示す図である。
【図２】非トリガー・スケジューリング方式を示す図である。
【図３】トリガー・スケジューリング方式を示す図である。
【図４】本発明の実施例におけるデータ受信方法を示す図である。
【図５】本発明の実施例におけるデータ送受信方法を示す図である。
【図６】本発明の実施例におけるデータ送受信方法を示す他の図である。
【図７】本発明の実施例における第一指示情報及びデータスケジューリング制御情報を示す図である。
【図８】本発明の実施例における第一指示情報及びデータスケジューリング制御情報を示す他の図である。
【図９】本発明の実施例における第一指示情報及びデータスケジューリング制御情報を示す他の図である。
【図１０】本発明の実施例における第一指示情報及びデータスケジューリング制御情報を示す他の図である。
【図１１】本発明の実施例における上りリンクデータの一部の帯域幅リソースの送信を示す図である。
【図１２】本発明の実施例におけるデータ送信方法を示す図である。
【図１３】本発明の実施例におけるデータ受信方法を示す図である。
【図１４】本発明の実施例におけるデータ送受信方法を示す図である。
【図１５】本発明の実施例におけるデータ送信方法を示す図である。
【図１６】本発明の実施例におけるデータ受信装置を示す図である。
【図１７】本発明の実施例におけるデータ送信装置を示す図である。
【図１８】本発明の実施例におけるデータ受信装置を示す図である。
【図１９】本発明の実施例におけるデータ送信装置を示す図である。
【図２０】本発明の実施例におけるネットワーク装置を示す図である。
【図２１】本発明の実施例における端末装置を示す図である。
【発明を実施するための形態】
【００２０】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、本発明は、添付した特許請求の範囲内のすべての変更、変形及び代替によるものも含むということである。
【００２１】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００２２】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来に開発される通信プロトコルである。
【００２３】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００２４】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理の領域に対して通信カバレッジを提供することができる。用語「セル」が指すのは、基地局及び／又はそのカバーする領域であっても良い、これは、該用語のコンテキストによるものである。
【００２５】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２６】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２７】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２８】
また、用語「ネットワーク側」又は「ネットワーク装置側」とは、ネットワークの側を指し、或る基地局であっても良く、上述のような１つ又は複数のネットワーク装置を含んでも良い。用語「ユーザ側」又は「端末側」又は「端末装置側」とは、ユーザ又は端末の側を指し、或るＵＥであっても良く、上述のような１つ又は複数の端末装置を含んでも良い。
【００２９】
以下、例を挙げて本発明の実施例におけるシナリオについて説明を行うが、本発明は、これに限られない。
【００３０】
図１は、本発明の実施例における通信システムを示す図であり、端末装置及びネットワーク装置を例にとる場合を例示的に示している。図１に示すように、通信システム１００は、ネットワーク装置１０１及び端末装置１０２を含んでも良い。便宜のため、図１では、１つの端末装置及び１つのネットワーク装置を例にとって説明を行っているが、本発明の実施例はこれに限定されない。
【００３１】
本発明の実施例では、ネットワーク装置１０１と端末装置１０２との間は、従来のトラフィック又は将来実施可能なトラフィックが行われても良い。例えば、これらのトラフィックは、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでも良いが、これに限定されない。
【００３２】
ＬＴＥ技術では、Ｒｅｌ．１４には、アンライセンス周波数バンド上の上りリンク伝送メカニズムが導入されており、また、４種の新しい下りリンク制御情報（ＤＣＩ、Ｄｏｗｎｌｉｎｋ  Ｃｏｎｔｒｏｌ  Ｉｎｆｏｒｍａｔｉｏｎ）フォーマットがアンライセンス周波数バンドにおける上りリンクスケジューリング指示のために導入されており；それらは、それぞれ、ＤＣＩ  ｆｏｒｍａｔ０Ａ／４Ａ／０Ｂ／４Ｂである。そのうち、０Ａ／０Ｂフォーマットがスケジューリングするのは、シングルアンテナポート伝送方式であり、４Ａ／４Ｂフォーマットがスケジューリングするのは、マルチアンテナポート伝送方式であり；また、０Ａ／４Ａフォーマットがスケジューリングするのは、シングルサブフレームの物理上りリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）伝送方式であり、０Ｂ／４Ｂフォーマットがスケジューリングするのは、連続した複数のサブフレームのＰＵＳＣＨ伝送方式である。
【００３３】
スケジューリング・シグナリングが１つの‘ＰＵＳＣＨ  ｔｒｉｇｇｅｒ  Ａ’域（ｆｉｅｌｄ）を含み、該域は、今回のスケジューリングがトリガー・スケジューリングであるかを指示するために用いられる。例えば、‘０’が設定されると、トリガー・スケジューリングでない（非トリガー・スケジューリングである）ことを示し、この場合、該スケジューリング・シグナリング受信後に、端末装置は、該スケジューリング・シグナリングにおける‘Ｔｉｍｉｎｇ  ｏｆｆｓｅｔ’域が指示したタイミングに基づいてＰＵＳＣＨを送信し；‘１’が設定されると、今回のスケジューリングがトリガー・スケジューリングであることを示し、端末装置は、ＣＣ−ＲＮＴＩによりスクランブルされているＤＣＩ  ｆｏｒｍａｔ  １Ｃシグナリング（トリガーシグナリング）の受信を待つ必要があり、受信した該トリガーシグナリングにおける‘ＰＵＳＣＨ  ｔｒｉｇｇｅｒ  Ｂ’域に‘１’が設定されれば、上りリンクスケジューリングがトリガーされていることを示し、端末装置は、スケジューリング・シグナリング（ＤＣＩ  ｆｏｒｍａｔ  ０Ａ／４Ａ／０Ｂ／４Ｂ）における‘Ｔｉｍｉｎｇ  ｏｆｆｓｅｔ’域、及びトリガーシグナリング（ＤＣＩ  ｆｏｒｍａｔ  １Ｃ）における‘ＵＬ  ｄｕｒａｔｉｏｎ  ａｎｄ  ｏｆｆｓｅｔ’域が指示したタイミングに従って、ＰＵＳＣＨを送信するサブフレームを確定する。
【００３４】
図２は、非トリガー・スケジューリング方式を示す図である。図２に示すように、ＬＴＥでは、上りリンク・スケジューリング・シグナリングから、スケジューリングされるＰＵＳＣＨの送信までの最小時間間隔が４つのサブフレームである。該スケジューリング時間の制限は、上りリンクスケジューリングの柔軟性を制約している。例えば、同じフレーム内でのスケジューリングの場合、前の４つのサブフレームを上りリンクデータの伝送のためにスケジューリングすることができず；特に、アンライセンス周波数バンドにおいて装置がチャネルにアクセスした後に隣接サブフレームをスケジューリングすることができず、リソース浪費及び時間遅延を来たすことがある。よって、ＬＴＥでは、トリガー・スケジューリング方式が追加され、前もってスケジューリング・シグナリングを送信する。
【００３５】
図３は、トリガー・スケジューリング方式を示す図である。図３に示すように、ネットワーク装置は、前もって端末装置にスケジューリング・シグナリングを送信することができ；ネットワーク装置がチャネルにアクセスした後に、端末装置にトリガーシグナリングを、上りリンクデータの送信をトリガーするために送信し、これにより、上りリンクスケジューリングの柔軟性が向上する。
【００３６】
また、ＯＣＢ／ＰＳＤのニーズを満たすために、ｅＬＡＡでは、Ｉｎｔｅｒｌａｃｅを上りリンク伝送リソース分配の基本単位として採用し；１つのｉｎｔｅｒｌａｃｅが１０個のリソースブロック（ＲＢ、Ｒｅｓｏｕｒｃｅ  Ｂｌｏｃｋ）からなり、且つこの１０個のＲＢｓが等間隔で２０ＭＨｚの帯域幅に分布する。例えば、Ｉｎｔｅｒｌａｃｅ  ０がＲＢ０、ＲＢ１０、ＲＢ２０、…、ＲＢ９０からなる。ネットワーク装置が上りリンク・スケジューリング・シグナリングにより１つ又は複数のｉｎｔｅｒｌａｃｅを端末装置に割り当て、これにより、端末装置は上りリンクデータ伝送を行うことができる。
【００３７】
新無線（ＮＲ、Ｎｅｗ  Ｒａｄｉｏ）に基づくアンライセンス周波数バンド物理層アクセス技術がＲＡＮ１  ＃９２会議から議論されており、また、ＮＲワイドバンド（ｗｉｄｅｂａｎｄ；周波数領域帯域幅が２０ＭＨｚよりも大きい）伝送技術のアンライセンス周波数バンドへの応用も議論する必要があると指摘されており、且つ共存する他の伝送技術がないことを保証できない場合、ＮＲアンライセンス周波数バンドの伝送帯域幅のサイズ（ｓｉｚｅ）を２０ＭＨｚの整数倍とするべきことが規定されている。なぜなら、他のアンライセンス周波数バンド伝送技術、例えば、ＷｉＦｉの伝送帯域幅も２０ＭＨｚを単位とするからである。
【００３８】
しかし、ワイドバンド伝送の場合、ネットワーク装置がワイドバンドリソースによりデータを伝送することをスケジューリングしているが、ＬＢＴモニタリング結果において一部の帯域幅リソースのみがアイドル状態にあるときに、データ伝送を行うかどうかは、解決待ちの問題となっている。データの伝送を放棄（ｄｒｏｐ）すれば、アイドル状態にある帯域幅上のリソース浪費を来し、且つワイドバンドリソース全体がアイドル状態になるまでデータの送信を行うことができず、伝送レイテンシを引き起こすことがある。アイドル状態にある帯域幅リソースのみでデータを伝送する場合、下りリンク伝送であれば、スケジューリング・シグナリングにおけるスケジューリング帯域幅リソースの関連情報を変更し再構成する時間がなく、実際の伝送帯域幅とスケジューリング帯域幅との不一致により、受信端データの復号化失敗を引き起こすことがあり；上りリンク伝送であれば、アイドル状態にある帯域幅のみでの伝送は、上りリンク・スケジューリング・シグナリングの指示と不一致となる。
【００３９】
よって、アンライセンス周波数バンド上のスケジューリング指示の伝送に対して研究を行うことで、周波数スペクトルリソースの利用効率を向上させ、伝送レイテンシを減少させ、また、スケジューリングの柔軟性を保証する必要がある。
【００４０】
なお、本発明の実施例では、アンライセンス周波数バンド及びＬＢＴを例にとって説明を行うが、本発明はこれに限られず、類似問題が存在する他のシナリオに適用することもできる。
【実施例１】
【００４１】
本発明の実施例は、データ受信方法を提供し、ネットワーク装置側から説明を行う。本実施例及び実施例２は、トリガー・スケジューリング方式と称され得る。
【００４２】
図４は、本発明の実施例におけるデータ受信方法を示す図であり、図４に示すように、該データ受信方法は以下のステップを含む。
【００４３】
ステップ４０１：ネットワーク装置が端末装置にデータスケジューリング制御情報を、前記端末装置に上りリンクデータの関連情報の送信を指示するために送信し；
ステップ４０２：前記ネットワーク装置が前記端末装置に、１つ又は複数の周波数領域帯域幅リソースを指示するための第一指示情報を送信し；及び
ステップ４０３：前記ネットワーク装置が前記端末装置送信の前記上りリンクデータを受信する。
【００４４】
本実施例では、前記周波数領域帯域幅リソースは一定の周波数バンド幅を有する周波数領域リソースである。
【００４５】
本実施例では、前記ネットワーク装置はアンライセンス周波数バンド上で前記上りリンクデータを受信し；前記ネットワーク装置はアンライセンス周波数バンド又はライセンス周波数バンド上で前記第一指示情報（又は周波数領域帯域幅リソース指示又は伝送帯域幅指示とも称され得る）及び／又は前記データスケジューリング制御情報を送信する。
【００４６】
本実施例では、前記ネットワーク装置はアンライセンス周波数バンドのチャネルを検出して前記１つ又は複数の周波数領域帯域幅リソースを確定し；そのうち、前記第一指示情報はさらに、前記１つ又は複数の周波数領域帯域幅リソースが次のようなもののうちの少なくとも１つであることを指示するために用いられ、即ち、前記端末装置が上りリンクデータを送信し得る帯域幅リソース、前記ネットワーク装置が下りリンクデータを送信する帯域幅リソース、及び前記端末装置が前記ネットワーク装置のチャネル占用時間をシェアして上りリンクデータを送信し得る帯域幅リソースである。
【００４７】
端末装置は、データスケジューリング制御情報（例えば、スケジューリング・シグナリング、上りリンク・スケジューリング・シグナリング、又はデータスケジューリング・シグナリングと称され得る）を受信することができ、データスケジューリング制御情報にはさらに、端末装置に、スケジューリング帯域幅リソース上で上りリンクデータの送信に用いられ得る可用時間周波数リソースを指示するための指示情報（可用時間周波数リソース情報と称されても良く、例えば、可用リソースブロックの索引などを含む）が含まれる。また、１つの、周波数領域帯域幅リソース指示をキャリー（ｃａｒｒｙ）するトリガー情報（例えば、トリガーシグナリング、データトリガーシグナリング、又は上りリンクデータトリガーシグナリングとも称され得る）により、端末装置は、上りリンクデータ伝送を行うようにトリガーされ、その後、データスケジューリング制御情報により指示される可用時間周波数リソースと、第一指示情報により指示される１つ又は複数の周波数領域帯域幅リソースとのオーバーラップ（又は重畳）帯域幅における可用時間周波数リソース上で上りリンクデータを送信することができる。
【００４８】
データスケジューリング制御情報により指示される可用時間周波数リソースと、第一指示情報により指示される１つ又は複数の周波数領域帯域幅リソースとの間にオーバーラップするリソースがない場合、端末装置は、該データスケジューリング制御情報（又はスケジューリング・シグナリング）によりスケジューリングされる上りリンクデータを送信せず、又は、１つの、該データスケジューリング制御情報（又はスケジューリング・シグナリング）により指示される可用時間周波数リソースとオーバーラップするリソースがある第一指示情報を受信した後に、オーバーラップするリソース上で上りリンクデータを送信する。
【００４９】
これにより、ネットワーク装置が端末装置に、１つ又は複数の周波数領域帯域幅リソースを指示するための第一指示情報を送信することにより、ネットワーク装置及び端末装置は実際に使用されている周波数領域帯域幅リソースに対して一致性を達成することができるため、周波数スペクトルリソースの利用効率を向上させ、伝送レイテンシを減少させ、また、スケジューリングの柔軟性を保証することができる。
【００５０】
１つの実施方式において、前記第一指示情報は前記データスケジューリング制御情報の後に送信される。なお、本発明はこれに限定されず、以下の実施例に記載のように、前記第一指示情報は前記データスケジューリング制御情報の前に送信されても良く、又は、前記第一指示情報と前記データスケジューリング制御情報との送信の間には特定のタイミング関係が無くても良い。
【００５１】
１つの実施方式において、前記第一指示情報は、上りリンクデータトリガー情報をキャリーする第一制御情報に含まれ；前記上りリンクデータトリガー情報は、前記端末装置が前記上りリンクデータを送信するようにトリガーするために用いられる。
【００５２】
図５は、本発明の実施例におけるデータ送受信方法を示す図であり、図５に示すように、該データ送受信方法は以下のステップを含む。
【００５３】
ステップ５０１：ネットワーク装置が端末装置にデータスケジューリング制御情報を、前記端末装置に上りリンクデータの関連情報の送信を指示するために送信し；
ステップ５０２：ネットワーク装置がアンライセンス周波数バンドのチャネルを検出して１つ又は複数の周波数領域帯域幅リソースを確定し；
ステップ５０３：前記ネットワーク装置が前記端末装置に上りリンクデータトリガー情報を含む第一制御情報を送信し、該第一制御情報は１つ又は複数の周波数領域帯域幅リソースを指示するための第一指示情報を含み；
ステップ５０４：前記端末装置が、前記データスケジューリング制御情報により指示される可用時間周波数リソースと、前記第一指示情報により指示される１つ又は複数の周波数領域帯域幅リソースとのオーバーラップする帯域幅における可用時間周波数リソース上で、前記ネットワーク装置に上りリンクデータを送信する。
【００５４】
なお、図５は本発明の実施例を例示的に説明するためのものに過ぎず、本発明はこれに限定されない。例えば、各ステップ間の実行順序を適切に調整したり、ステップを増減したりすることもできる。即ち、当業者は、図５の記載をもとに、上述の内容に対して適切に変形しても良い。
【００５５】
１つの実施方式において、前記第一指示情報は、前記第一制御情報とは異なる第二制御情報に含まれる。
【００５６】
図６は、本発明の実施例におけるデータ送受信方法を示す他の図であり、図６に示すように、該データ送受信方法は以下のステップを含む。
【００５７】
ステップ６０１：ネットワーク装置が端末装置にデータスケジューリング制御情報を、前記端末装置に上りリンクデータの関連情報の送信を指示するために送信し；
ステップ６０２：ネットワーク装置がアンライセンス周波数バンドのチャネルを検出して１つ又は複数の周波数領域帯域幅リソースを確定し；
ステップ６０３：前記ネットワーク装置が前記端末装置に第二制御情報を送信し、該第二制御情報は、１つ又は複数の周波数領域帯域幅リソースを指示するための第一指示情報を含み；
ステップ６０４：前記ネットワーク装置が前記端末装置に上りリンクデータトリガー情報を含む第一制御情報を送信し；
ステップ６０５：前記端末装置が、前記データスケジューリング制御情報により指示される可用時間周波数リソースと、前記第一指示情報により指示される１つ又は複数の周波数領域帯域幅リソースとのオーバーラップする帯域幅における可用時間周波数リソース上で、前記ネットワーク装置に上りリンクデータを送信する。
【００５８】
なお、図６は本発明の実施例を例示的に説明するためのものに過ぎず、本発明はこれに限定されない。例えば、各ステップ間の実行順序を適切に調整したり、ステップを増減したりすることもできる。即ち、当業者は、図６の記載をもとに、上述の内容に対して適切に変形しても良い。
【００５９】
１つの実施方式において、前記第一指示情報及び前記データスケジューリング制御情は、同一チャネル占用時間内で送信することができる。
【００６０】
図７は、本発明の実施例における第一指示情報及びデータスケジューリング制御情報を示す図であり、図７に示すように、端末装置は、データスケジューリング制御情報受信後に、さらに第一指示情報を待つ必要があり、前記第一指示情報受信後に、この２つの情報の指示内容に基づいて上りリンクデータを送信する。
【００６１】
例えば、端末装置は、ネットワーク装置のチャネル占用時間（ＣＯＴ：Ｃｈａｎｎｅｌ  Ｏｃｃｕｐａｎｃｙ  Ｔｉｍｅ）をシェアしてデータを送信することができ、ネットワーク装置は、端末装置に、シェア可能な帯域幅のサイズを通知することができる。例えば、ネットワーク装置は、データスケジューリング制御情報送信前に、チャネルのアイドル状態を検出し、検出結果に基づいてアイドル状態にある帯域幅のサイズを取得し、アイドル状態にある周波数領域帯域幅リソース上でデータスケジューリング制御情報を送信するが、データスケジューリング制御情報が既にパケット化・符号化されており、且つ直ちに送信する必要があるので、帯域幅情報は、該情報においてキャリーされて端末装置に共有可能な帯域幅のサイズを通知することができない。よって、端末装置は、第一指示情報を待って、データを伝送することができる帯域幅のサイズを確定した後に、上りリンクデータを伝送する必要がある。
【００６２】
もう１つの実施方式において、前記第一指示情報及び前記データスケジューリング制御情報は、異なるチャネル占用時間内で送信することができる。例えば、ネットワーク装置がクロスＣＯＴの方式で端末装置をスケジューリングする場合に適用することができる。
【００６３】
図８は、本発明の実施例における第一指示情報及びデータスケジューリング制御情報を示す他の図である。図８に示すように、例えば、１つ前のＣＯＴにおいてネットワーク装置が端末装置にデータスケジューリング制御情報を送信し、ネットワーク装置は、新しいＣＯＴを得た後に、端末装置にそれとシェア可能な帯域幅を通知することができる。このようにして、新しいＣＯＴにおいて上りリンクスケジューリングを迅速に行うことができ、上りリンクスケジューリングのタイミングの制約が原因で新しいＣＯＴの前の部分のシンボルを上りリンクデータ伝送のためにスケジューリングできないことがない。
【００６４】
なお、ネットワーク装置のアンライセンス周波数バンドのチャネル占用時間（ＣＯＴ）はタイミング関係の参照に過ぎず、また、本発明の実施例では、データスケジューリング制御情報及び帯域幅指示のアンライセンス周波数バンド上の送信について限定せず、ライセンス周波数バンド上の送信も可能である。
【００６５】
１つの実施方式において、前記第一指示情報は前記データスケジューリング制御情報の前に送信される。例えば、データスケジューリング制御情報受信後に、端末装置は、有効な第一指示情報が存在するかを判断し、有効な第一指示情報が存在する場合、データスケジューリング制御情報により指示される可用時間周波数リソースと、第一指示情報により指示される１つ又は複数の周波数領域帯域幅リソースとのオーバーラップする帯域幅における可用リソース上で上りリンクデータを伝送する。
【００６６】
１つの実施方式において、第一指示情報及びデータスケジューリング制御情報の送信時刻には特定のタイミング関係がなく、即ち、第一指示情報は、データスケジューリング制御情報の前に送信されても良く、或いは、データスケジューリング制御情報の後に送信されても良い。
【００６７】
図９は、本発明の実施例における第一指示情報及びデータスケジューリング制御情報を示す他の図である。図９に示すように、例えば、端末装置は、１つのデータスケジューリング制御情報を受信した後に、有効な第一指示情報があるかを判断することができる。有効な第一指示情報が存在し（第一指示情報１が有効である）、且つ上りリンクデータの送信時刻が依然として該第一指示情報の有効時間長内にある場合、データスケジューリング制御情報及び第一指示情報の指示内容に基づいて上りリンクデータを送信する。
【００６８】
図１０は、本発明の実施例における第一指示情報及びデータスケジューリング制御情報を示す他の図である。図１０に示すように、例えば、端末装置が、１つのデータスケジューリング制御情報の受信後に、有効な第一指示情報がない（第一指示情報を受信したことがない、又は、第一指示情報１が失効である）場合、端末装置は、第一指示情報をキャリーした制御情報の受信を待ち；端末装置は、該制御情報（第一指示情報２）を受信した後に、データスケジューリング制御情報及び該第一指示情報の指示内容に基づいて上りリンクデータを送信することができる。
【００６９】
有効な第一指示情報は前回受信した第一指示情報であっても良く、該指示は端末装置に、データ伝送に用いられ得る帯域幅のサイズの情報を通知するために用いられても良く；ネットワーク装置が前回指示した、端末装置の下りリンク伝送成功の帯域幅のサイズの情報であっても良い。ネットワーク装置が伝送帯域幅の有効時間長を通知する方式は、第一指示情報を通知する制御情報における１つの単独の指示域で通知しても良く；該制御情報において１つの指示域により第一指示情報の内容及び有効時間長をジョイント指示しても良く；ネットワーク装置のチャネル占用時間の関連情報により暗示的に有効時間長を指示しても良く；また、１つのデフォルトの有効時間長があっても良く、時間長を超えたら失効になる。
【００７０】
以上、第一指示情報の送信について例示的に説明したが、以下、上りリンクデータについて説明する。
【００７１】
１つの実施方式において、前記ネットワーク装置は、前記第一指示情報により指示される１つ又は複数の周波数領域帯域幅リソースと、データスケジューリング制御情報により指示される可用時間周波数リソースとのオーバーラップする帯域幅における可用時間周波数リソース上で前記上りリンクデータを受信する。
【００７２】
図１１は、本発明の実施例において上りリンクデータを送信する一部の帯域幅を示す図であり、そのうち、データスケジューリング制御情報は、帯域幅リソースにおける、上りリンクデータの送信に用いられ得る可用時間周波数リソースを指示することができる。図１１に示すように、端末装置は、第一指示情報受信後に、可用時間周波数リソースと、第一指示情報により指示される１つ又は複数の周波数領域帯域幅リソースとのオーバーラップする帯域幅における可用時間周波数リソース上で上りリンクデータを送信する。
【００７３】
例えば、第一指示情報１により指示される周波数領域帯域幅リソースがスケジューリングされる帯域幅リソースよりも少ない場合、オーバーラップする部分は、第一指示情報１により指示される周波数領域帯域幅リソースであっても良い。図１１のオーバーラップ帯域幅１が示す通りである。また、例えば、第一指示情報２により指示される周波数領域帯域幅リソースがスケジューリングされる帯域幅リソースよりも多い場合、オーバーラップする部分は、スケジューリングされる帯域幅に含まれる周波数領域帯域幅リソースであっても良く、図１１のオーバーラップ帯域幅２が示す通りである。
【００７４】
データスケジューリング制御情報はさらに、スケジューリング帯域幅においてスケジューリングされる周波数領域帯域幅リソースの個数、又は、スケジューリングされる周波数領域帯域幅リソースのサイズと個数を指示しても良い。端末装置は、第一指示情報受信後に、第一指示情報により指示される周波数領域帯域幅リソース上で送信しても良く、スケジューリングされる周波数領域帯域幅リソースの個数が第一指示情報により指示される伝送帯域幅に含まれる周波数領域帯域幅リソースの個数よりも小さいときに、一定の規則に従ってデフォルトの帯域幅上で送信しても良い。
【００７５】
第一指示情報により指示される伝送帯域幅の前のスケジューリングされる周波数領域帯域幅リソースの個数の周波数領域帯域幅リソース上で上りリンクデータを送信しても良い。例えば、データスケジューリング制御情報が、２つの周波数領域帯域幅リソースがスケジューリングされていることを指示し、開始、終了又は帯域幅における具体的な位置を指示しない場合、端末装置は、２つの周波数領域帯域幅リソースのサイズに基づいて、伝送ブロックサイズ（ＴＢＳ：Ｔｒａｎｓｐｏｒｔ  Ｂｌｏｃｋ  Ｓｉｚｅ）を確定し、符号化、レートマッチングなどを行うことができ、第一指示情報受信後に、伝送帯域幅のサイズが４つの周波数領域帯域幅リソースであること及び周波数領域位置を確定すれば、スケジューリングされる２つの周波数領域帯域幅リソースのデータは、伝送帯域幅における前の２つの周波数領域帯域幅リソース上で送信され；又は、第一指示情報により指示される周波数領域帯域幅リソースの個数がスケジューリングの周波数領域帯域幅リソースの個数未満であると規定し、スケジューリングされる周波数領域帯域幅リソースの個数が指示される伝送帯域幅に含まれる周波数領域帯域幅リソースの個数よりも大きければ、指示される伝送帯域幅のみで上りリンクデータを送信する。
【００７６】
本実施例では、前記スケジューリング帯域幅リソースは、デフォルトのサイズであっても良く；又は、前記スケジューリング帯域幅は、前記ネットワーク装置が次のような方式のうちの少なくとも１種の方式で前記端末装置に通知しても良く、即ち、前記データスケジューリング制御情報により前記スケジューリング帯域幅リソースを指示し；上位層シグナリングにより前記スケジューリング帯域幅リソースを設定し；及びシステム情報により前記スケジューリング帯域幅リソースを設定する方式である。
【００７７】
１つの実施方式において、前記第一制御情報はユーザ専用制御情報又は共通制御情報であり；前記第一制御情報はさらに、上り下りリンク構成の指示のための第二指示情を含む。そのうち、前記第一制御情報はさらに、前記第一指示情報の有効時間長を指示するための情報を含んでも良く、又は、前記第二指示情報はさらに、前記第一指示情報の有効時間長を指示するために用いられる。
【００７８】
例えば、上り下りリンク構成の第二指示情報は次のようなことを暗示的に指示することができ、即ち、該第一制御情報により指示される上り下りリンク持続時間内で該第一指示情報が有効であり；又は、第二制御情報における１つの域で有効時間長を指示し、指示内容は、候補有効時間長のうちの或る１つの索引値であっても良い。共通制御情報である場合、ＮＲにおけるＳＦＩ−ＲＮＴＩによりスクランブルされるｓｌｏｔ  ｆｏｒｍａｔ指示であっても良く、新しいスクランブルシーケンスによりスクランブルされる共通制御情報であっても良い。
【００７９】
１つの実施方式において、前記有効時間長及び／又は前記上り下りリンク構成指示情報の単位が、シンボル、スロット、サブフレーム、ｍｓ（ミリ秒）のうちの少なくとも１つであっても良いが、本発明はこれに限定されない。
【００８０】
１つの実施方式において、前記上りリンクデータの送信時刻が１つの第一指示情報の有効時間長内にあれば、前記ネットワーク装置は前記送信時刻に前記上りリンクデータを受信し；前記上りリンクデータの送信時刻が１つの第一指示情報の前記有効時間長内に無い場合、前記ネットワーク装置は、次の１つの第一指示情報の送信後に前記上りリンクデータを受信する。
【００８１】
例えば、前記データスケジューリング制御情報は、前記送信時刻を指示する関連情報（例えば、時間領域リソース分配指示情報、前記送信時刻と前記データスケジューリング制御情報との相対的なシンボル個数間隔、スロット間隔の指示情報、前記送信時刻の絶対時間情報、前記送信時刻の基準時間に対する相対時間情報など）を含んでも良いが、これに限定されない。
【００８２】
１つの実施方式において、前記第一指示情報は次のようなリソースの少なくとも１つのリソース上で送信され、即ち、前記１つ又は複数の周波数領域帯域幅リソースの周波数領域リソース集合；前記１つ又は複数の周波数領域帯域幅リソースのうちの１つの周波数領域帯域幅リソース；前記１つ又は複数の周波数領域帯域幅リソースのうちの各周波数領域リソース；及び、前記ネットワーク装置が事前分配したライセンス周波数バンドのリソースである。
【００８３】
１つの実施方式において、第一指示情報は明示的に上りリンクデータの送信用の周波数領域帯域幅リソースの情報を指示しても良く、端末装置は、指示情報内容を読み取った後に、上りリンクデータを送信する周波数領域帯域幅リソースを得ることができる。
【００８４】
例えば、第一指示情報は１つのビットマップ（ｂｉｔｍａｐ）であり、ｂｉｔｍａｐのビットの個数はスケジューリング帯域幅リソースに含まれる周波数領域帯域幅リソースの個数と等しく、且つ１つのビットは対応して１つの周波数領域帯域幅リソースを指示する。ビットが‘１’と設定されることは、該ビットに対応する周波数領域帯域幅リソースにより上りリンクデータを送信し得ることを示し、‘０’と設定されることは、該ビットに対応する周波数領域帯域幅リソースにより上りリンクデータを送信し得ることを示し；又は、‘０’と設定されることは、該ビットに対応する周波数領域帯域幅リソースにより上りリンクデータを送信し得ることを示し、‘１’と設定されることは、該ビットに対応する周波数領域帯域幅リソースにより上りリンクデータを送信し得ることを示しても良い。なお、本発明はこれに限定されず、例えば、２つ又はそれ以上のビットで１つの周波数領域帯域幅リソースを指示しても良い。
【００８５】
また、例えば、第一指示情報は指示リソースの指示値（ＲＩＶ：Ｒｅｓｏｕｒｃｅ  Ｉｎｄｉｃａｔｉｏｎ  Ｖａｌｕｅ）であり、即ち、三角形二分木の符号化方式により、リソース指示値を用いて、スケジューリングされる帯域幅リソースにおいて上りリンクデータを送信する帯域幅リソースの開始周波数領域帯域幅リソース及び周波数領域帯域幅リソース個数を確定することもできる。
【００８６】
上述の各実施方式は本発明の実施例を例示的に説明するものに過ぎない。本発明はこれに限定されず、上述の各実施方式をもとに適切な変形を行っても良い。例えば、上述の各実施方式を単独で使用しても良く、又は、上述の各実施方式のうちの１種又は複数種を組み合わせても良い。
【００８７】
上述の実施例から分かるように、ネットワーク装置が端末装置に、１つ又は複数の周波数領域帯域幅リソースを指示するための第一指示情報を送信することにより、ネットワーク装置及び端末装置は実際に使用されている周波数領域帯域幅リソースに対して一致性を達成することができるため、周波数スペクトルリソースの利用効率を向上させ、伝送レイテンシを減少させ、また、スケジューリングの柔軟性を保証することができる。
【実施例２】
【００８８】
本発明の実施例はデータ送信方法を提供し、実施例１と同じである内容の記載を省略する。図１２は、本発明の実施例におけるデータ送信方法を示す図であり、端末装置側の場合を示している。図１２に示すように、該方法は以下のステップを含む。
【００８９】
ステップ１２０１：端末装置がネットワーク装置送信のデータスケジューリング制御情報を、前記端末装置の上りリンクデータの関連情報の送信の指示のために受信し；
ステップ１２０２：前記端末装置が前記ネットワーク装置送信の１つ又は複数の周波数領域帯域幅リソースを指示するための第一指示情報を受信し；及び
ステップ１２０３：前記端末装置が前記ネットワーク装置に前記上りリンクデータを送信する。
【００９０】
なお、図１２は本発明の実施例を例示的に説明するためのものに過ぎず、本発明はこれに限定されない。例えば、各ステップ間の実行順序を適切に調整したり、ステップを増減したりすることもできる。即ち、当業者は、図１２の記載をもとに、上述の内容に対して適切に変形しても良い。
【００９１】
本実施例では、前記周波数領域帯域幅リソースは一定の周波数バンド幅を有する周波数領域リソースである。
【００９２】
本実施例では、前記端末装置はアンライセンス周波数バンド上で前記上りリンクデータを送信し；前記端末装置はアンライセンス周波数バンド又はライセンス周波数バンド上で前記第一指示情報及び／又は前記データスケジューリング制御情報を受信する。
【００９３】
本実施例では、前記第一指示情報はさらに次のようなもののうちの少なくとも１つを指示するために用いられ、即ち、前記端末装置が上りリンクデータを送信し得る帯域幅リソース、前記ネットワーク装置が下りリンクデータを送信する帯域幅リソース、及び前記端末装置が前記ネットワーク装置のチャネル占用時間をシェアして上りリンクデータを送信し得る帯域幅リソースである。
【００９４】
本実施例では、前記端末装置は、前記ネットワーク装置送信の、上りリンクデータトリガー情報を含む第一制御情報を受信し、前記端末装置は、前記上りリンクデータ送信前に、前記第一制御情報を受信し；そのうち、前記上りリンクデータトリガー情報は、前記端末装置が前記上りリンクデータを送信するようにトリガーするために用いられる。
【００９５】
１つの実施方式において、前記端末装置は、前記データスケジューリング制御情報の後に前記第一指示情報を受信する。
【００９６】
１つの実施方式において、前記端末装置は、前記データスケジューリング制御情報の前に、前記第一指示情報を受信する。
【００９７】
１つの実施方式において、前記第一指示情報及び前記データスケジューリング制御情報は、同一チャネル占用時間内で受信される。
【００９８】
１つの実施方式において、前記第一指示情報及び前記データスケジューリング制御情報は、異なるチャネル占用時間内で受信される。
【００９９】
１つの実施方式において、前記第一指示情報は、前記上りリンクデータトリガー情報をキャリーする第一制御情報に含まれ、前記上りリンクトリガー情報は、前記端末装置が前記上りリンクデータを送信するようにトリガーするために用いられる。
【０１００】
１つの実施方式において、前記第一指示情報は、前記第一制御情報とは異なる第二制御情報に含まれる。
【０１０１】
１つの実施方式において、前記データスケジューリング制御情報はさらに、前記端末装置に、スケジューリング帯域幅リソース上で前記上りリンクデータの送信に用いられ得る可用時間周波数リソースを指示するものを含む。
【０１０２】
１つの実施方式において、前記端末装置は、前記第一指示情報により指示される１つ又は複数の周波数領域帯域幅リソースと、前記データスケジューリング制御情報により指示される可用時間周波数リソースとのオーバーラップする帯域幅における可用時間周波数リソース上で前記上りリンクデータを送信する。
【０１０３】
１つの実施方式において、前記スケジューリング帯域幅リソースはデフォルトのサイズであり；又は前記スケジューリング帯域幅は、前記ネットワーク装置が次のような方式のうちの少なくとも１種の方式で前記端末装置に通知し、即ち、前記データスケジューリング制御情報により前記スケジューリング帯域幅リソースを指示し；上位層シグナリングにより前記スケジューリング帯域幅リソースを設定し；及び、システム情報により前記スケジューリング帯域幅リソースを設定する方式である。
【０１０４】
１つの実施方式において、前記第一制御情報はユーザ専用制御情報又は共通制御情報であり；前記上りリンクデータトリガー情報はさらに上り下りリンク構成を指示する第二指示情報を含む。
【０１０５】
１つの実施方式において、前記第一制御情報はさらに前記第一指示情報の有効時間長を指示する情報を含んでも良く、又は、前記第二指示情報はさらに前記第一指示情報の有効時間長を指示するために用いられても良い。
【０１０６】
１つの実施方式において、前記有効時間長及び／又は前記上り下りリンク構成を指示する第二指示情報の単位がシンボル、スロット、サブフレーム、及びｍｓのうちの少なくとも１つである。
【０１０７】
１つの実施方式において、前記上りリンクデータの送信時刻が１つの第一指示情報の有効時間長内にあれば、前記端末装置は、前記送信時刻に前記上りリンクデータを送信し；前記上りリンクデータの送信時刻が１つの第一指示情報の前記有効時間長内に無い場合、前記端末装置は、次の１つの第一指示情報の受信後に前記上りリンクデータを送信する。
【０１０８】
１つの実施方式において、前記データスケジューリング制御情報は、前記送信時刻を指示する関連情報を含む。
【０１０９】
１つの実施方式において、前記端末装置は、次の少なくとも１種のリソース上で前記第一指示情報を受信し、即ち、前記スケジューリング帯域幅の周波数領域リソース；前記スケジューリング帯域幅のうちの１つの周波数領域帯域幅リソース；前記スケジューリング帯域幅のうちの各周波数領域帯域幅リソース；及び、前記ネットワーク装置が事前分配したリソースである。
【０１１０】
上述の各実施方式は本発明の実施例を例示的説明するものに過ぎない。本発明はこれに限定されず、上述の各実施方式をもとに適切な変形を行っても良い。例えば、上述の各実施方式を単独で使用しても良く、或いは、上述の各実施方式のうちの１種又は多種を組み合わせても良い。
【０１１１】
上述の実施例から分かるように、ネットワーク装置が端末装置に、１つ又は複数の周波数領域帯域幅リソースを指示するための第一指示情報を送信することにより、ネットワーク装置及び端末装置は実際に使用されている周波数領域帯域幅リソースに対して一致性を達成することができるため、周波数スペクトルリソースの利用効率を向上させ、伝送レイテンシを減少させ、また、スケジューリングの柔軟性を保証することができる。
【実施例３】
【０１１２】
本発明の実施例はデータ受信方法を提供し、ネットワーク装置側から説明を行う。本実施例及び実施例４は非トリガー・スケジューリング方式と称され得る。
【０１１３】
図１３は本発明の実施例におけるデータ受信方法を示す図であり、図１３に示すように、該データ受信方法は以下のステップを含む。
【０１１４】
ステップ１３０１：ネットワーク装置が端末装置にデータスケジューリング制御情報を、前記端末装置に上りリンクデータの関連情報の送信を指示するために送信し；
ステップ１３０２：前記ネットワーク装置が前記端末装置送信の前記上りリンクデータを受信し；及び
ステップ１３０３：前記ネットワーク装置が前記端末装置送信の１つ又は複数の周波数領域帯域幅リソースを指示するための第一指示情報を受信する。
【０１１５】
本実施例では、前記ネットワーク装置はアンライセンス周波数バンド上で前記上りリンクデータを受信し；前記ネットワーク装置は、アンライセンス周波数バンド又はライセンス周波数バンド上で前記第一指示情報を受信し、及び／又は、前記データスケジューリング制御情報を送信する。
【０１１６】
例えば、ネットワーク装置は、ステップ１３０２で受信した上りリンクデータをバッファリングし、ステップ１３０３で第一指示情報を受信した後に、バッファリングした上りリンクデータを処理しても良く、これにより、該上りリンクデータを正確に得ることができる。
【０１１７】
本実施例では、ネットワーク装置は端末装置に、スケジューリング帯域幅リソースにおける周波数領域帯域幅リソースを検出するように指示することができ；また、前記端末装置は、前記スケジューリング帯域幅リソースの検出結果に基づいて、前記１つ又は複数の周波数領域帯域幅リソースを確定することができる。
【０１１８】
図１４は、本発明の実施例におけるデータ送受信方法を示す図であり、図１４に示すように、該データ受信方法は以下のステップを含む。
【０１１９】
ステップ１４０１：ネットワーク装置が端末装置にデータスケジューリング制御情報を、前記端末装置に上りリンクデータの関連情報の送信を指示するために送信し；
ステップ１４０２：ネットワーク装置が端末装置に、スケジューリング帯域幅における周波数領域帯域幅リソースを検出するように指示し；
ステップ１４０３：端末装置が前記スケジューリング帯域幅の検出結果に基づいて、１つ又は複数の周波数領域帯域幅リソースを確定し；
ステップ１４０４：前記端末装置が前記データスケジューリング制御情報の指示内容に基づいて、前記ネットワーク装置に上りリンクデータを送信し；
ステップ１４０５：前記端末装置が前記ネットワーク装置に、前記１つ又は複数の周波数領域帯域幅リソースの指示のための第一指示情報を送信し；及び
ステップ１４０６：前記ネットワーク装置が前記第一指示情報を受信した後に、前記上りリンクデータを正確に取得する。
【０１２０】
なお、図１４は本発明の実施例を例示的に説明するためのものに過ぎず、本発明はこれに限定されない。例えば、各ステップ間の実行順序を適切に調整したり、ステップを増減したりすることもできる。即ち、当業者は、図１４の記載をもとに、上述の内容に対して適切に変形しても良い。
【０１２１】
端末装置がスケジューリング帯域幅リソースにおける複数の周波数領域帯域幅リソースのアイドル状態を検出した後にデータ伝送を行う必要があるときに、端末装置は、アイドル状態にあると検出された周波数領域帯域幅リソース上で上りリンクデータを伝送し、伝送完成後に第一指示情報を送信して、ネットワーク装置に、データを伝送した周波数領域帯域幅リソース、即ち、端末装置によってアイドル状態にあり且つ該端末装置により占用されると検出されたチャネル帯域幅リソースを通知することができる。
【０１２２】
１つの実施方式において、第一指示情報は、ネットワーク装置が事前分配したリソース上で送信されても良い。
【０１２３】
例えば、ネットワーク装置は、スケジューリング帯域幅リソース（即ち、スケジューリングされる帯域幅リソース）における各周波数領域帯域幅ユニット上で第一指示情報のリソースを割り当て、第一指示情報は、アイドル状態にあると検出された各周波数領域帯域幅リソースの事前分配のリソース上で繰り返して（ｒｅｐｅａｔｅｄｌｙ）送信することができ、又は、アイドル状態にあると検出された周波数領域帯域幅リソースの事前分配のリソースからなるリソース集合上で第一指示情報を送信することができ、即ち、上りリンクデータを伝送した周波数領域帯域幅リソース内の事前分配のリソース上で送信することができる。
【０１２４】
１つの実施方式において、第一指示情報は、一定の規則に従って得た或る１つの、アイドル状態にあると検出された周波数領域帯域幅リソース上で送信することができる。
【０１２５】
例えば、アイドル状態にあると検出された帯域幅ユニットのうちの１番目又は最後の１つの周波数領域帯域幅リソース上で第一指示情報を送信する。スケジューリングされる帯域幅リソースに４つの帯域幅ユニットが含まれる場合、端末装置が、１番目の帯域幅ユニットがビジー状態にあり、２番目、３番目、４番目の帯域幅ユニットがアイドル状態にあると検出すれば、第一指示情報は、２番目の帯域幅ユニット上で送信され、ネットワーク装置は該帯域幅ユニット上で第一指示情報を検出した後に、伝送帯域幅の開始位置が２番目の帯域幅ユニットであることを確定し、そして、第一指示情報の内容に基づいてさらにその正確さ及び伝送帯域幅の幅を確定する。
【０１２６】
１つの実施方式において、第一指示情報は指示情報であっても良く、ネットワーク装置は指示情報の内容を読み取った後に、上りリンクデータを伝送した周波数領域帯域幅リソースを取得することができる。
【０１２７】
例えば、第一指示情報は１つのｂｉｔｍａｐであり、ｂｉｔｍａｐのビット個数はスケジューリング帯域幅リソースに含まれる周波数領域帯域幅リソースの個数に等しく、且つ１つのビットは対応して１つの周波数領域帯域幅リソースを指示する。ビットが‘１’設定されることは、該ビットに対応する周波数領域帯域幅リソースにより上りリンクデータを伝送したことを示し、‘０’と設定されることは、該ビットに対応する周波数領域帯域幅リソースにより上りリンクデータを伝送しないことを示し；又は、‘０’と設定されることは、該ビットに対応する周波数領域帯域幅リソースにより上りリンクデータを伝送したことを示し、‘１’と設定されることは、該ビットに対応する周波数領域帯域幅リソースにより上りリンクデータを伝送しないことを示しても良い。なお、本発明はこれに限定されず、例えば、２つ又はそれ以上のビットにより１つの周波数領域帯域幅リソースを指示することもできる。
【０１２８】
また、例えば、第一指示情報は指示リソースの指示値（ＲＩＶ：Ｒｅｓｏｕｒｃｅ  Ｉｎｄｉｃａｔｉｏｎ  Ｖａｌｕｅ）であり、即ち、三角形二分木の符号化方式により、リソース指示値を用いて、スケジューリング帯域幅リソースにおいて上りリンクデータを伝送する開始周波数領域帯域幅リソース及び周波数領域帯域幅リソース個数を確定する。
【０１２９】
１つの実施方式において、第一指示情報はさらにデフォルトのシーケンスシンボルの一部であっても良い。
【０１３０】
例えば、端末装置がデータを伝送した帯域幅ユニット上で該デフォルトのシーケンスシンボルを送信し、ネットワーク装置は各帯域幅ユニット上で該デフォルトのシーケンスシンボルを検出し、デフォルトのシーケンスシンボルを検出した帯域幅ユニットで上りリンクデータを伝送したと見なす。前記デフォルトのシーケンスは、ＳＲＳ（Ｓｏｕｎｄｉｎｇ  Ｒｅｆｅｒｅｎｃｅ  Ｓｉｇｎａｌ）であっても良く、他のシーケンスシンボルであっても良い。ネットワーク装置は、シーケンスの相関性により、デフォルトのシーケンスシンボルを検出することができるが、これに限定されない。
【０１３１】
１つの実施方式において、前記の事前分配のリソースは、該端末装置に接続されるライセンス周波数バンド上のリソースであっても良い。端末装置は、データ送信完成後に、ライセンス周波数バンドの対応するリソース上で第一指示情報を送信する。ライセンス周波数バンドにおける上りリンクリソース上の第一指示情報のフィードバックは、ネットワーク装置により上位層シグナリングを用いて端末装置に設定することができる。
【０１３２】
例えば、ネットワーク装置から端末装置への周波数領域帯域幅リソースの設定情報には、フィードバック帯域幅リソース指示設定情報又はフィードバックキャリア指示設定情報が含まれ、それは、第一指示情報をフィードバックするためのライセンス周波数バンド又はライセンス周波数バンドキャリアを設定するために用いられる。該設定情報は選択可能な設定であり、該帯域幅リソースが複数の帯域幅ユニットを含まないときに、又は、該帯域幅が第一指示情報をフィードバックする必要がないときに、該情報を設定しなくても良い。
【０１３３】
１つの実施方式において、前記の事前分配リソースはＰＵＳＣＨ又はＰＵＣＣＨリソースの一部であっても良く、又は、他のリソースであっても良い。
【０１３４】
１つの実施方式において、前記第一指示情報はさらに、ネットワーク装置に、該第一指示情報を送信する端末装置のチャネル占用時間（ＣＯＴ：Ｃｈａｎｎｅｌ  Ｏｃｃｕｐａｎｃｙ  Ｔｉｍｅ）を共有し得ることを指示するために用いられても良く；言い換えると、ネットワーク装置は、該指示受信後に、共有可能な周波数領域帯域幅リソースを確定し、チャネルのアイドル状態を検出する及び／又は検出しない場合、該端末装置のチャネル占用時間内において、共有する帯域幅ユニット上で下りリンクデータを送信することができる。
【０１３５】
１つの実施方式において、ネットワーク装置は、データスケジューリング制御情報におけるチャネルアクセス優先度指示域に基づいて、端末装置の最大チャネル占用時間を確定し、そして、端末装置のチャネル占用時間をシェアすることができるかを判断することができる。或いは、端末装置送信の、第一指示情報をキャリーしている情報における１つの域により、ネットワーク装置に、共有し得るチャネル占用時間長を指示しても良く、該域の指示粒度は、可占用のシンボル個数、シンボル組数又はスロット個数であっても良い。さらに第一指示情報と一緒にジョイント指示しても良く、その指示するのは、第一指示情報の指示内容及びチャネル占用時間の複数種の組み合わせの索引値である。
【０１３６】
１つの実施方式において、端末装置はさらに、スケジューリング帯域幅リソースにおける１つのみの周波数領域帯域幅リソースのアイドル状態を検出して、スケジューリング帯域幅リソース全体で上りリンクデータを伝送するかを判断することができる。検出結果がアイドル状態である場合、端末装置は、スケジューリング帯域幅リソース全体で上りリンクデータを伝送し；検出結果がビジー状態である場合、上りリンクデータを伝送しない。このような場合、端末装置が一部のスケジューリング帯域幅リソース上で上りリンクデータを伝送しないので、端末装置は、１つのみの周波数領域帯域幅リソースのアイドル状態を検出したときに、第一指示情報をフィードバックしない。
【０１３７】
前記１つの周波数領域帯域幅リソースは、スケジューリングされる帯域幅リソース自体であっても良く；スケジューリングされる帯域幅リソースにおける複数の周波数領域帯域幅リソースのうちの１つであっても良く、ネットワーク装置が端末装置に、そのうちの１つの周波数領域帯域幅リソースを検出するように指示すれば、スケジューリング帯域幅全体におけるすべての帯域幅ユニットのデータが送信されるかどうかは、該周波数領域帯域幅リソースでの検出結果により決定される。
【０１３８】
例えば、検出する必要がある周波数領域帯域幅リソースは、デフォルトの帯域幅ユニット、ネットワーク装置のスケジューリング帯域幅における１番目又は最後の１つの周波数領域帯域幅リソース、又は中間位置の或る帯域幅、例えば、
（外１）
2021530159.tif 000003
又は
（外２）
2021530159.tif 000004
個目の帯域幅ユニットであっても良い。
【０１３９】
例えば、検出する必要がある周波数領域帯域幅リソースは、データスケジューリング制御情報における１つの域により、端末装置に、今回のスケジューリングにあたってアイドル状態が検出される必要のある周波数領域帯域幅リソース、又は、他の情報とのジョイント指示を通知しても良い。
【０１４０】
また、例えば、検出する必要がある周波数領域帯域幅リソースは、さらに、ネットワーク装置からシグナリングにより端末装置に指示しても良く、該周波数領域帯域幅リソースを指示するシグナリングは、上位層設定シグナリングであっても良い。
【０１４１】
１つの実施方式において、該周波数領域帯域幅リソースの設定情報にアイドル状態検出設定情報を含め、端末装置に、該周波数領域帯域幅リソースでチャネルのアイドル状態を検出するかを指示しても良く；帯域幅設定情報に、アイドル状態検出周波数領域帯域幅リソース指示設定情報を含め、該帯域幅における１つ又は複数の周波数領域帯域幅リソースの索引を指示し、チャネルのアイドル状態が検出される必要のある周波数領域帯域幅リソースを表しても良い。
【０１４２】
上述の各実施方式は本発明の実施例を例示的に説明するものに過ぎない。本発明はこれに限定されず、さらに、上述の各実施方式をもとに適切な変形を行っても良い。例えば、上述の各実施方式を単独で使用しても良く、或いは、上述の各実施方式のうちの１種又は多種を組み合わせても良い。
【０１４３】
上述の実施例から分かるように、端末装置がネットワーク装置に、１つ又は複数の周波数領域帯域幅リソースを指示するための第一指示情報を送信することにより、ネットワーク装置及び端末装置は実際に使用されている周波数領域帯域幅リソースに対して一致性を達成することができるため、周波数スペクトルリソースの利用効率を向上させ、伝送レイテンシを減少させ、また、スケジューリングの柔軟性を保証することができる。
【実施例４】
【０１４４】
本発明の実施例はデータ送信方法を提供し、実施例３と同じである内容の記載を省略する。図１５は本発明の実施例におけるデータ送信方法を示す図であり、端末装置側の場合を示している。図１５に示すように、該方法は以下のステップを含む。
【０１４５】
ステップ１５０１：端末装置がネットワーク装置送信のデータスケジューリング制御情報を、前記端末装置の上りリンクデータの関連情報の送信の指示のために受信し；
ステップ１５０２：前記端末装置が前記ネットワーク装置に前記上りリンクデータを送信し；及び
ステップ１５０３：前記端末装置が前記ネットワーク装置に、１つ又は複数の周波数領域帯域幅リソースを指示するための第一指示情報を送信する。
【０１４６】
本実施例では、前記端末装置はアンライセンス周波数バンド上で前記上りリンクデータを送信し；前記端末装置はアンライセンス周波数バンド又はライセンス周波数バンド上で前記第一指示情報を送信し、及び／又は、前記データスケジューリング制御情報を受信する。
【０１４７】
本実施例では、前記端末装置は前記ネットワーク装置の指示に基づいて、スケジューリング帯域幅における周波数領域帯域幅リソースを検出し；また、前記端末装置は、１つ又は複数の帯域幅の検出結果に基づいて、前記１つ又は複数の周波数領域帯域幅リソースを確定する。
【０１４８】
１つの実施方式において、前記スケジューリング帯域幅はアンライセンス周波数バンド周波数領域リソースであっても良い。
【０１４９】
１つの実施方式において、前記スケジューリング帯域幅リソースは１つのデフォルトのサイズであり；又は、前記スケジューリング帯域幅は、前記ネットワーク装置が次のような方式のうちの少なくとも１種の方式で前記端末装置を通知しても良く、即ち、前記データスケジューリング制御情報により前記スケジューリング帯域幅リソースを指示し；上位層シグナリングにより前記スケジューリング帯域幅リソースを設定し；及び、システム情報により前記スケジューリング帯域幅リソースを設定する方式である。
【０１５０】
１つの実施方式において、前記第一指示情報はさらに、次のようなもののうちの少なくとも１つを指示するため用いられ、即ち、前記端末装置が前記上りリンクデータを送信する帯域幅リソース、前記ネットワーク装置が下りリンクデータを送信し得る帯域幅リソース、及び前記ネットワーク装置が前記端末装置のチャネル占用時間をシェアして下りリンクデータを送信し得る帯域幅リソースである。
【０１５１】
１つの実施方式において、前記第一指示情報は前記上りリンクデータの後に前記端末装置により送信される。
【０１５２】
１つの実施方式において、前記端末装置は、前記上りリンクデータを送信した周波数領域リソース上で前記第一指示情報を送信し、又は、前記上りリンクデータを送信した１つ又は複数の周波数領域帯域幅リソースのうちの１つの周波数領域帯域幅リソース上で前記第一指示情報を送信し、又は、前記上りリンクデータを送信した各周波数領域帯域幅リソース上で前記第一指示情報を送信し、又は、前記ネットワーク装置が事前分配したリソース上で前記第一指示情報を送信する。
【０１５３】
上述の各実施方式は本発明の実施例を例示的に説明するものに過ぎな。本発明はこれに限定されず、さらに上述の各実施方式をもとに適切な変形を行っても良い。例えば、上述の各実施方式を単独で使用しても良く、或いは、上述の各実施方式のうちの１種又は多種を組み合わせても良い。
【０１５４】
上述の実施例から分かるように、端末装置がネットワーク装置に、１つ又は複数の周波数領域帯域幅リソースを指示するための第一指示情報を送信することにより、ネットワーク装置及び端末装置は実際に使用されている周波数領域帯域幅リソースに対して一致性を達成することができるため、周波数スペクトルリソースの利用効率を向上させ、伝送レイテンシを減少させ、また、スケジューリングの柔軟性を保証することができる。
【実施例５】
【０１５５】
本実施例では、実施例１−４をもとにさらに説明を行う。
【０１５６】
本実施例では、システムが上述のトリガー・スケジューリング方式及び非トリガー・スケジューリング方式のうちの１つを単独で採用しても良く、この２種のスケジューリングを同時にサポートしても良い。例えば、上位層設定シグナリングにより、端末装置に、そのうちの１種のスケジューリング方式を採用することを通知しても良い。
【０１５７】
１つの実施方式において、前記ネットワーク装置は前記端末装置にスケジューリング方式情報送信し；そのうち、前記スケジューリング方式情報は、前記端末装置に、上りリンクデータトリガー情報を使用して前記上りリンクデータを送信すること（トリガー・スケジューリング方式）を指示し、又は、前記端末装置に、上りリンクデータトリガー情報を使用せずに前記上りリンクデータを送信すること（非トリガー・スケジューリング方式）を指示する。
【０１５８】
例えば、データスケジューリング制御情報における１つの域により、今回のスケジューリングがトリガー・スケジューリングであるか、それとも、非トリガー・スケジューリングであるかを指示する。１ビットのスケジューリング方式により指示域において指示を行っても良く、例えば、‘０’を設定して、非トリガー・スケジューリングであることを指示し、端末装置は、該指示域受信後に、スケジューリング指示に基づいて上りリンクデータを送信し、データ送信後に、検出する必要のある周波数領域帯域幅リソースの個数に基づいて、ネットワーク装置に第一指示情報を送信するかを判断しても良い。また、‘１’を設定して、トリガー・スケジューリングであることを指示し、端末装置は、該指示域受信後に、有効な第一指示情報に基づいて上りリンクデータを送信しても良い。スケジューリング方式の指示は、さらに、‘１’により非トリガー・スケジューリングを示し、‘０’によりトリガー・スケジューリングを示しても良い。
【０１５９】
もう１つの実施方式において、前記ネットワーク装置は前記端末装置にアンライセンス周波数バンドのチャネルアクセス方式指示情報を送信し；そのうち、前記アンライセンス周波数バンドのチャネルアクセス方式指示情報は、前記端末装置に、上りリンクデータトリガー情報を用いて前記上りリンクデータを送信するの（トリガー・スケジューリング方式）を確定することを指示し、又は、前記端末装置に、上りリンクデータトリガー情報を用いずに前記上りリンクデータを送信するの（非トリガー・スケジューリング方式）を確定するように指示する。
【０１６０】
例えば、チャネルアクセス状態により暗示的にスケジューリング方式を指示する。指示されるチャネルアクセス類型がコンテンションウィンドウを含む完全ＬＢＴであるときに、ＬＴＥチャネルアクセス類型１に類似しており、このときに、今回のスケジューリングが非トリガー・スケジューリングであることを暗示的に指示し；指示されるチャネルアクセス類型がＬＴＥチャネルアクセス類型２に類似しているときに、１つのみの固定時間のチャネルのアイドル状態を検出し、アイドル状態であれば、直ぐにデータを送信し、或いは、送信時間間隔がデフォルトの時間長よりも小さければ、チャネルのアイドル状態を検出する必要がなく、この場合、今回のスケジューリングがトリガー・スケジューリングであることを暗示的に指示する。
【実施例６】
【０１６１】
本発明の実施例はデータ受信装置を提供する。該装置は、例えば、ネットワーク装置であっても良く、ネットワーク装置に配置される１つ又は複数の部品又はアセンブリであっても良い。本実施例６では、実施例１、２と同じである内容の記載を省略する。
【０１６２】
図１６は、本発明の実施例におけるデータ受信装置を示す図であり、図１６に示すように、データ受信装置１６００は以下のものを含む。
【０１６３】
情報送信ユニット１６０１：端末装置にデータスケジューリング制御情報を、前記端末装置に上りリンクデータの関連情報の送信を指示するために送信し；
指示送信ユニット１６０２：前記端末装置に、１つ又は複数の周波数領域帯域幅リソースを指示するための第一指示情報を送信し；及び
データ受信ユニット１６０３：前記端末装置送信の上りリンクデータを受信する。
【０１６４】
本実施例では、前記データ受信ユニット１６０３はアンライセンス周波数バンド上で前記上りリンクデータを受信することができ；前記指示送信ユニット１６０２は、アンライセンス周波数バンド又はライセンス周波数バンド上で前記第一指示情報を送信し、及び／又は、前記情報送信ユニット１６０１は、アンライセンス周波数バンド又はライセンス周波数バンド上で前記データスケジューリング制御情報を送信することができる。
【０１６５】
本実施例では、前記データ受信ユニット１６０３は、前記データスケジューリング制御情報に基づいて前記上りリンクデータを受信し、又は、前記データスケジューリング制御情報及び前記第一指示情報に基づいて前記上りリンクデータを受信する。
【０１６６】
図１６に示すように、データ受信装置１６００はさらに以下のものを含んでも良い。
【０１６７】
チャネル検出ユニット１６０４：アンライセンス周波数バンドのチャネルを検出して前記１つ又は複数の周波数領域帯域幅リソースを確定し；そのうち、前記第一指示情報はさらに、前記１つ又は複数の周波数領域帯域幅リソースが次のようなもののうちの少なくとも１つであることを指示するために用いられ、即ち、前記端末装置が上りリンクデータを送信し得る帯域幅リソース、ネットワーク装置が下りリンクデータを送信する帯域幅リソース、及び前記端末装置が前記ネットワーク装置のチャネル占用時間をシェアして上りリンクデータを送信し得る帯域幅リソースである。
【０１６８】
１つの実施方式において、情報送信ユニット１６０１はさらに、前記端末装置にスケジューリング方式情報を送信しても良く；そのうち、前記スケジューリング方式情報は、前記端末装置に、上りリンクデータトリガー情報を使用して又は使用せずに前記上りリンクデータを送信することを指示し；又は、前記端末装置に、アンライセンス周波数バンドのチャネルアクセス方式指示情報を送信し、前記アンライセンス周波数バンドのチャネルアクセス方式指示情報は、前記端末装置に、上りリンクデータトリガー情報を使用して又は使用せずに前記上りリンクデータを送信することを確定するように指示する。
【０１６９】
本発明の実施例はさらにデータ送信装置を提供する。該装置は、例えば、端末装置であっても良く、端末装置に構成される１つ又は複数の部品又はアセンブリであって良い。
【０１７０】
図１７は、本発明の実施例におけるデータ送信装置を示す図であり、図１７に示すように、データ送信装置１７００は以下のものを含む。
【０１７１】
情報受信ユニット１７０１：ネットワーク装置送信のデータスケジューリング制御情報を受信し；
指示受信ユニット１７０２：前記ネットワーク装置送信の、１つ又は複数の周波数領域帯域幅リソースを指示するための第一指示情報を受信し；及び
データ送信ユニット１７０３：前記ネットワーク装置に前記上りリンクデータを送信する。
【０１７２】
１つの実施方式において、情報受信ユニット１７０１はさらに、前記ネットワーク装置送信のスケジューリング方式情報を受信することができ；そのうち、前記スケジューリング方式情報は、前記端末装置に、上りリンクデータトリガー情報を使用して又は使用せずに前記上りリンクデータを送信することを指示し；又は、前記ネットワーク装置送信のアンライセンス周波数バンドのチャネルアクセス方式指示情報を受信することができ、前記アンライセンス周波数バンドのチャネルアクセス方式指示情報は、前記端末装置に、上りリンクデータトリガー情報を使用して又は使用せずに前記上りリンクデータを送信するように確定することを指示する。
【０１７３】
なお、以上、本発明に係る各部品又はモジュールのみについて説明したが、本発明はこれに限定されず、データ受信装置１６００及びデータ送信装置１７００はさらに他の部品又はモジュールを含んでも良い。これらの部品又はモジュールの具体的な内容については、関連技術を参照することができる。
【０１７４】
また、便宜のために、図１６及び図１７には、各部品又はモジュール間の連接関係又は信号方向のみが示されているが、当業者が理解すべきは、バスによる接続などの各種の関連技術を採用しても良い。また、上述の各部品又はモジュールは、例えば、処理器、記憶器、送信機、受信機などのハードウェアにより実現されても良いが、本発明の実施はこれに限定されない。
【０１７５】
上述の実施例から分かるように、ネットワーク装置が端末装置に、１つ又は複数の周波数領域帯域幅リソースを指示するための第一指示情報を送信することにより、ネットワーク装置及び端末装置は実際に使用されている周波数領域帯域幅リソースに対して一致性を達成することができるため、周波数スペクトルリソースの利用効率を向上させ、伝送レイテンシを減少させ、また、スケジューリングの柔軟性を保証することができる。
【実施例７】
【０１７６】
本発明の実施例はデータ受信装置を提供する。該装置は、例えば、ネットワーク装置であっても良く、ネットワーク装置に配置される１つ又は複数の部品又はアセンブリであって良い。本実施例７では、実施例３、４と同じである内容の記載を省略する。
【０１７７】
図１８は、本発明の実施例におけるデータ受信装置を示す図であり、図１８に示すように、データ受信装置１８００は以下のものを含む。
【０１７８】
情報送信ユニット１８０１：端末装置にデータスケジューリング制御情報を、前記端末装置に上りリンクデータの関連情報の送信を指示するために送信し；
データ受信ユニット１８０２：前記端末装置送信の前記上りリンクデータを受信し；及び
指示受信ユニット１８０３：前記端末装置送信の、１つ又は複数の周波数領域帯域幅リソースを指示するための第一指示情報を受信する。
【０１７９】
１つの実施方式において、情報送信ユニット１８０１はさらに前記端末装置にスケジューリング方式情報を送信しても良く；そのうち、前記スケジューリング方式情報は、前記端末装置に、上りリンクデータトリガー情報を使用して又は使用せずに前記上りリンクデータを送信することを指示し；又は、前記端末装置にアンライセンス周波数バンドのチャネルアクセス方式指示情報を送信しても良く、前記アンライセンス周波数バンドのチャネルアクセス方式指示情報は、前記端末装置に、上りリンクデータトリガー情報を使用して又は使用せずに前記上りリンクデータを送信するように確定することを指示する。
【０１８０】
本発明の実施例はさらにデータ送信装置を提供する。該装置は、例えば、端末装置であって良く、端末装置に構成される１つ又は複数の部品又はアセンブリであっても良い。
【０１８１】
図１９は、本発明の実施例におけるデータ送信装置を示す図であり、如図１９に示すように、データ送信装置１９００は以下のものを含む。
【０１８２】
情報受信ユニット１９０１：ネットワーク装置送信のデータスケジューリング制御情報を、前記端末装置の上りリンクデータの関連情報の送信の指示のために受信し；
データ送信ユニット１９０２：前記ネットワーク装置に上りリンクデータを送信し；及び
指示送信ユニット１９０３：前記ネットワーク装置に、１つ又は複数の周波数領域帯域幅リソースを指示するための第一指示情報を送信する。
【０１８３】
図１９に示すように、データ送信装置１９００はさらに以下のものを含んでも良い。
【０１８４】
帯域幅検出ユニット１９０４：前記ネットワーク装置の指示に基づいて、スケジューリング帯域幅における周波数領域帯域幅リソースを検出し；及び
リソース確定ユニット１９０５：１つ又は複数の帯域幅の検出結果に基づいて、前記１つ又は複数の周波数領域帯域幅リソースを確定する。
【０１８５】
本実施例では、前記第一指示情報はさらに、前記１つ又は複数の周波数領域帯域幅リソースが次のようなもののうちの少なくとも１つであることを指示するために用いられ、端末装置が前記上りリンクデータを送信する帯域幅リソース、前記ネットワーク装置が下りリンクデータを送信し得る帯域幅リソース、及び前記ネットワーク装置が前記端末装置のチャネル占用時間をシェアして下りリンクデータを送信し得る帯域幅リソースである。
【０１８６】
本実施例では、前記指示送信ユニット１９０３は、前記上りリンクデータを送信した周波数領域リソース上で前記第一指示情報を送信し；又は、前記上りリンクデータを送信した１つ又は複数の周波数領域帯域幅リソースのうちの１つの周波数領域帯域幅リソース上で前記第一指示情報を送信し；又は、前記上りリンクデータを送信した各周波数領域帯域幅リソース上で前記第一指示情報を送信し；又は、前記ネットワーク装置が事前分配したリソース上で前記第一指示情報を送信する。
【０１８７】
１つの実施方式において、情報受信ユニット１９０１はさらに、前記ネットワーク装置送信のスケジューリング方式情報を受信しても良く；そのうち、前記スケジューリング方式情報は、前記端末装置に、上りリンクデータトリガー情報を使用して又は使用せずに前記上りリンクデータを送信することを指示し；又は、前記ネットワーク装置送信のアンライセンス周波数バンドのチャネルアクセス方式指示情報を受信しても良く、前記アンライセンス周波数バンドのチャネルアクセス方式指示情報は、前記端末装置に、上りリンクデータトリガー情報を使用して又は使用せずに前記上りリンクデータを送信するように確定することを指示する。
【０１８８】
なお、以上、本発明に関する各部品又はモジュールのみについて説明したが、本発明はこれに限定されない。データ受信装置１８００及びデータ送信装置１９００はさらに、他の部品又はモジュールを含んでも良い。これらの部品又はモジュールの具体的な内容については、関連技術を参照することができる。
【０１８９】
また、便宜のため、図１８及び図１９には、各部品又はモジュール間の接続関係又は信号方向のみが示されている。当業者が理解すべきは、バスによる接続などの各種の関連技術を採用して良い。さらに、上述の各部品又はモジュールは、例えば、処理器、記憶器、送信機、受信機などのハードウェアにより実現されても良いが、本発明の実施は、これに限られない。
【０１９０】
上述の実施例から分かるように、端末装置がネットワーク装置に、１つ又は複数の周波数領域帯域幅リソースを指示するための第一指示情報を送信することにより、ネットワーク装置及び端末装置は実際に使用されている周波数領域帯域幅リソースに対して一致性を達成することができるため、周波数スペクトルリソースの利用効率を向上させ、伝送レイテンシを減少させ、また、スケジューリングの柔軟性を保証することができる。
【実施例８】
【０１９１】
本発明の実施例はさらに通信システムを提供す。該通信システムについては、図１を参照することができ、ここでは、実施例１乃至実施例７と同じである内容の記載を省略する。本実施例では、通信システム１００は以下のものを含んでも良い
ネットワーク装置１０１：その中に実施例６に記載のデータ受信装置１６００又は実施例７に記載のデータ受信装置１８００が配置されており；
端末装置１０２：その中に実施例６に記載のデータ送信装置１７００又は実施例７に記載のデータ送信装置１９００が含まれている。
【０１９２】
本発明の実施例はさらにネットワーク装置を提供し、それは例えば基地局であっても良いが、これに限られず、他のネットワーク装置であっても良い。
【０１９３】
図２０は、本発明の実施例におけるネットワーク装置の構成図である。図２０に示すように、ネットワーク装置２０００は、処理器２０１０（例えば、中央処理装置ＣＰＵ）及び記憶器２０２０を含んでも良い。記憶器２０２０は処理器２０１０に接続される。そのうち、該記憶器２０２０は各種のデータを記憶することができ、また、情報処理用のプログラム２０３０を記憶し、且つ処理器２０１０の制御下で該プログラム２０３０を実行することもできる。
【０１９４】
例えば、処理器２０１０は、プログラム２０３０を実行して実施例１に記載のデータ受信方法を実現するように構成されても良い。例えば、処理器２０１０は、次のような制御を行うように構成されても良く、即ち、端末装置にデータスケジューリング制御情報を送信し；前記端末装置に、１つ又は複数の周波数領域帯域幅リソースを指示するための第一指示情報を送信し；及び前記端末装置送信の上りリンクデータを受信する。
【０１９５】
また、例えば、処理器２０１０は、プログラム２０３０を実行して実施例３に記載のデータ受信方法を実現するように構成されても良い。例えば、処理器２０１０は、次のような制御を行うように構成されても良く、即ち、端末装置にデータスケジューリング制御情報を送信し；前記端末装置送信の上りリンクデータを受信し；及び、前記端末装置送信の、１つ又は複数の周波数領域帯域幅リソースを指示するための第一指示情報を受信する。
【０１９６】
また、図２０に示すように、ネットワーク装置２０００はさらに送受信機２０４０、アンテナ２０５０などを含んでも良い。そのうち、これらの部品の機能が従来技術と同様であるため、ここではその詳しい説明を省略する。なお、ネットワーク装置２０００は図２０に示すすべての部品を含む必要がない。また、ネットワーク装置２０００はさらに図２０に無いものを含んでも良いが、これについては従来技術を参照することができる。
【０１９７】
本発明の実施例はさらに端末装置を提供する。しかし、本発明はこれに限られず、他の装置であっても良い。
【０１９８】
図２１は、本発明の実施例における端末装置を示す図である。図２１に示すように、該端末装置２１００は、処理器２１１０及び記憶器２１２０を含んでも良い。記憶器２１２０にはデータ及びプログラムが記憶されており、記憶器２１２０は処理器２１１０に接続される。なお、該図は例示に過ぎず、他の類型の構造をもって該構造に対して補充又は代替を行うことで、電気通信機能又は他の機能を達成しても良い。
【０１９９】
例えば、処理器２１１０は、プログラムを実行して実施例２に記載のデータ送信方法を実現するように構成されても良い。例えば、処理器２１１０は、次のような制御を行うように構成されても良く、即ち、ネットワーク装置送信のデータスケジューリング制御情報を受信し；前記ネットワーク装置送信の、１つ又は複数の周波数領域帯域幅リソースを指示するための第一指示情報を受信し；及び、前記ネットワーク装置に上りリンクデータを送信することである。
【０２００】
また、例えば、処理器２１１０は、プログラムを実行して実施例４に記載のデータ送信方法を実現するように構成されても良い。例えば、処理器２１１０は、次のような制御を実行するように構成されても良く、即ち、ネットワーク装置送信のデータスケジューリング制御情報を受信し；前記ネットワーク装置に上りリンクデータを送信し；及び、前記ネットワーク装置に、１つ又は複数の周波数領域帯域幅リソースを指示するための第一指示情報を送信することである。
【０２０１】
図２１に示すように、該端末装置２１００はさらに、通信モジュール２１３０、入力ユニット２１４０、表示器２１５０、電源２１６０を含んでも良い。そのうち、これらの部品の機能が従来技術と類似しているため、ここではその詳しい説明を省略する。なお、端末装置２１００は図２１に示すすべての部品を含む必要がない。また、端末装置２１００はさらに図２１に無い部品を含んでも良く、これについては従来技術を参照することができる。
【０２０２】
本発明の実施例は、さらに、コンピュータプログラムを提供し、そのうち、ネットワーク装置中で前記プログラムを実行する時に、前記プログラムは、前記ネットワーク装置に、実施例１又は３に記載のデータ受信方法を実行させる。
【０２０３】
本発明の実施例は、さらに、コンピュータプログラムを記憶した記憶媒体を提供する。そのうち、前記コンピュータプログラムは、ネットワーク装置に、実施例１又は３に記載のデータ受信方法を実行させる。
【０２０４】
本発明の実施例は、さらに、コンピュータプログラムを提供する。そのうち、端末装置中で前記プログラムを実行する時に、前記プログラムは、前記端末装置に、実施例２又は４に記載のデータ送信方法を実行させる。
【０２０５】
本発明の実施例は、さらに、コンピュータプログラムを記憶した記憶媒体を提供する。そのうち、前記コンピュータプログラムは、端末装置に、実施例２又は４に記載のデータ送信方法を実行させる。
【０２０６】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０２０７】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０２０８】
以上、本発明の好ましい実施形態を説明したが、本発明はこのような実施形態に限定されず、本発明の趣旨を離脱しない限り、本発明に対するあらゆる変更は本発明の技術的範囲に属する。
【０２０９】
また、上述の実施例などに関し、さらに以下の付記を開示する。
【０２１０】
（付記１）
データ受信方法であって、
ネットワーク装置が端末装置にデータスケジューリング制御情報を、前記端末装置に上りリンクデータの関連情報の送信を指示するために送信し；
前記ネットワーク装置が前記端末装置に、１つ又は複数の周波数領域帯域幅リソースを指示するための第一指示情報を送信し；及び
前記ネットワーク装置が前記端末装置送信の前記上りリンクデータを受信することを含む、方法。
【０２１１】
（付記２）
付記１に記載の方法であって、
前記ネットワーク装置はアンライセンス周波数バンド上で前記上りリンクデータを受信し；
前記ネットワーク装置はアンライセンス周波数バンド又はライセンス周波数バンド上で前記第一指示情報及び／又は前記データスケジューリング制御情報を送信する、方法。
【０２１２】
（付記３）
付記１又は２に記載の方法であって、さらに、
前記ネットワーク装がアンライセンス周波数バンドのチャネルを検出して前記１つ又は複数の周波数領域帯域幅リソースを確定することを含み、
そのうち、前記第一指示情報はさらに、前記１つ又は複数の周波数領域帯域幅リソースが次のようなもののうちの少なくとも１つであることを指示するために用いられ、即ち、前記端末装置が上りリンクデータを送信し得る帯域幅リソース、前記ネットワーク装置が下りリンクデータを送信する帯域幅リソース、及び前記端末装置が前記ネットワーク装置のチャネル占用時間をシェアして上りリンクデータを送信し得る帯域幅リソースである、方法。
【０２１３】
（付記４）
付記１乃至３のうちの任意の１項に記載の方法であって、
前記第一指示情報は前記データスケジューリング制御情報の後に送信される、方法。
【０２１４】
（付記５）
付記１乃至３のうちの任意の１項に記載の方法であって、
前記第一指示情報は前記データスケジューリング制御情報の前に送信される、方法。
【０２１５】
（付記６）
付記１乃至５のうちの任意の１項に記載の方法であって、
前記第一指示情報及び前記データスケジューリング制御情報は同一チャネル占用時間内で送信される、方法。
【０２１６】
（付記７）
付記１乃至５のうちの任意の１項に記載の方法であって、
前記第一指示情報及び前記データスケジューリング制御情報は異なるチャネル占用時間内で送信される、方法。
【０２１７】
（付記８）
付記１乃至７のうちの任意の１項に記載の方法であって、
前記第一指示情報が上りリンクデータトリガー情報をキャリーする第一制御情報に含まれ、前記上りリンクデータトリガー情報は、前記端末装置が前記上りリンクデータを送信するようにトリガーするために用いられる、方法。
【０２１８】
（付記９）
付記１乃至７のうちの任意の１項に記載の方法であって、
前記第一指示情報が第一制御情報とは異なる第二制御情報に含まれ、前記第一制御情報は、前記端末装置が前記上りリンクデータを送信するようにトリガーするために用いられる上りリンクデータトリガー情報をキャリーするために用いられる、方法。
【０２１９】
（付記１０）
付記９に記載の方法であって、さらに、
前記ネットワーク装置が前記端末装置に、前記上りリンクデータトリガー情報を含む前記第一制御情報を送信することを含む、方法。
【０２２０】
（付記１１）
付記１乃至１０のうちの任意の１項に記載の方法であって、
前記データスケジューリング制御情報はさらに、前記端末装置がスケジューリング帯域幅リソース上で前記上りリンクデータを送信する可用時間周波数リソースを指示するための関連情報を含む、方法。
【０２２１】
（付記１２）
付記１乃至１１のうちの任意の１項に記載の方法であって、
前記ネットワーク装置は、前記データスケジューリング制御情報により指示される可用時間周波数リソース上で前記上りリンクデータを受信し、又は、前記ネットワーク装置は、前記１つ又は複数の周波数領域帯域幅リソースと、前記可用時間周波数リソースとのオーバーラップするリソース上で前記上りリンクデータを受信する、方法。
【０２２２】
（付記１３）
付記１１に記載の方法であって、
前記スケジューリング帯域幅リソースはデフォルトのサイズであり；又は、前記スケジューリング帯域幅リソースは、前記ネットワーク装置が次のような方式のうちの少なくとも１種の方式で前記端末装置に通知し、即ち、
前記データスケジューリング制御情報により前記スケジューリング帯域幅リソースを指示し；
上位層シグナリングにより前記スケジューリング帯域幅リソースを設定し；及び
システム情報により前記スケジューリング帯域幅リソースを設定する方式である、方法。
【０２２３】
（付記１４）
付記９乃至１１のうちの任意の１項に記載の方法であって、
前記第一制御情報はユーザ専用制御情報又は共通制御情報であり、
前記第一制御情報はさらに、上り下りリンク構成を指示するための第二指示情報を含む、方法。
【０２２４】
（付記１５）
付記１４に記載の方法であって、
前記第一制御情報はさらに、前記第一指示情報の有効時間長を指示する情報を含み、又は、前記第二指示情報はさらに、前記第一指示情報の有効時間長を指示するために用いられる、方法。
【０２２５】
（付記１６）
付記１５に記載の方法であって、
前記有効時間長及び／又は前記第二指示情報の単位がシンボル、スロット、サブフレーム、及びｍｓのうちの少なくとも１つである、方法。
【０２２６】
（付記１７）
付記１乃至１６のうちの任意の１項に記載の方法であって、
前記上りリンクデータの送信時刻が第一指示情報の有効時間長内にあれば、前記ネットワーク装置は前記送信時刻に前記上りリンクデータを受信し、
前記上りリンクデータの送信時刻が第一指示情報の前記有効時間長内に無ければ、前記ネットワーク装置は次の１つの第一指示情報を送信した後に前記上りリンクデータを受信する、方法。
【０２２７】
（付記１８）
付記１７に記載の方法であって、
前記データスケジューリング制御情報は前記送信時刻を指示する関連情報を含む、方法。
【０２２８】
（付記１９）
付記１乃至１８のうちの任意の１項に記載の方法であって、
前記第一指示情報は次のようなもののうちの少なくとも１つのリソース上で送信され、即ち、前記１つ又は複数の周波数領域帯域幅リソースの周波数領域リソース集合；前記１つ又は複数の周波数領域帯域幅リソースのうちの１つの周波数領域帯域幅リソース；前記１つ又は複数の周波数領域帯域幅リソースのうちの各周波数領域リソース；及び、前記ネットワーク装置が事前割り当てるライセンス周波数バンドのリソースである、方法。
【０２２９】
（付記２０）
データ送信方法であって、
端末装置がネットワーク装置送信のデータスケジューリング制御情報を、前記端末装置の上りリンクデータの関連情報の送信の指示のために受信し；
前記端末装置が前記ネットワーク装置送信の、１つ又は複数の周波数領域帯域幅リソースを指示するための第一指示情報を受信し；及び
前記端末装置が前記ネットワーク装置に前記上りリンクデータを送信することを含む、方法。
【０２３０】
（付記２１）
付記２０に記載の方法であって、
前記端末装置はアンライセンス周波数バンド上で前記上りリンクデータを送信し、
前記端末装置はアンライセンス周波数バンド又はライセンス周波数バンド上で前記第一指示情報を受信し及び／又は前記データスケジューリング制御情報を受信する、方法。
【０２３１】
（付記２２）
付記２０又は２１に記載の方法であって、
前記第一指示情報はさらに、次のようなもののうちの少なくとも１つを指示するために用いられ、即ち、前記端末装置が上りリンクデータを送信し得る帯域幅リソース、前記ネットワーク装置が下りリンクデータを送信する帯域幅リソース、及び前記端末装置が前記ネットワーク装置のチャネル占用時間をシェアして上りリンクデータを送信し得る帯域幅リソースである、方法。
【０２３２】
（付記２３）
付記２０乃至２２のうちの任意の１項に記載の方法であって、
前記端末装置は前記データスケジューリング制御情報の後に前記第一指示情報を受信する、方法。
【０２３３】
（付記２４）
付記２０乃至２２のうちの任意の１項に記載の方法であって、
前記端末装置は前記データスケジューリング制御情報の前に前記第一指示情報を受信する、方法。
【０２３４】
（付記２５）
付記２０乃至２４のうちの任意の１項に記載の方法であって、
前記第一指示情報及び前記データスケジューリング制御情報は同一チャネル占用時間内で受信される、方法。
【０２３５】
（付記２６）
付記２０乃至２４のうちの任意の１項に記載の方法であって、
前記第一指示情報及び前記データスケジューリング制御情報は異なるチャネル占用時間内で受信される、方法。
【０２３６】
（付記２７）
付記２０乃至２６のうちの任意の１項に記載の方法であって、
前記第一指示情報が上りリンクデータトリガー情報をキャリーする第一制御情報に含まれ、前記上りリンクデータトリガー情報は、前記端末装置が前記上りリンクデータを送信するようにトリガーするために用いられる、方法。
【０２３７】
（付記２８）
付記２０乃至２６のうちの任意の１項に記載の方法であって、
前記第一指示情報が第一制御情報とは異なる第二制御情報に含まれ、前記第一制御情報は、前記端末装置が前記上りリンクデータを送信するようにトリガーするために用いられる上りリンクデータトリガー情報をキャリーするために用いられる、方法。
【０２３８】
（付記２９）
付記２８に記載の方法であって、さらに、
前記端末装置が前記ネットワーク装置送信の、前記上りリンクデータトリガー情報を含む前記第一制御情報を受信することを含む、方法。
【０２３９】
（付記３０）
付記２０乃至２９のうちの任意の１項に記載の方法であって、
前記データスケジューリング制御情報はさらに、前記端末装置に、スケジューリングされる帯域幅リソース上で前記上りリンクデータの送信に用いられ得る可用時間周波数リソースを指示するための関連情報を含む、方法。
【０２４０】
（付記３１）
付記２０乃至３０のうちの任意の１項に記載の方法であって、
前記端末装置は前記データスケジューリング制御情報により指示される可用時間周波数リソース上で前記上りリンクデータを送信し、又は、前記１つ又は複数の周波数領域帯域幅リソースと、前記可用時間周波数リソースとのオーバーラップするリソース上で前記上りリンクデータを送信する、方法。
【０２４１】
（付記３２）
付記３０に記載の方法であって、
前記スケジューリング帯域幅リソースはデフォルトのサイズであり；又は、前記スケジューリング帯域幅リソースは、前記ネットワーク装置が次のような方式のうちの少なくとも１種の方式で前記端末装置に通知し、即ち、
前記データスケジューリング制御情報により前記スケジューリング帯域幅リソースを指示し；
上位層シグナリングにより前記スケジューリング帯域幅リソースを設定し；及び
システム情報により前記スケジューリング帯域幅リソースを設定する方式である、方法。
（付記３３）
付記２８乃至３０のうちの任意の１項に記載の方法であって、
前記第一制御情報はユーザ専用制御情報又は共通制御情報であり、
前記第一制御情報はさらに、上り下りリンク構成を指示するための第二指示情報を含む、方法。
【０２４２】
（付記３４）
付記３３に記載の方法であって、
前記第一制御情報はさらに、前記第一指示情報の有効時間長を指示する情報を含み、又は、前記第二指示情報はさらに、前記第一指示情報の有効時間長を指示するために用いられる、方法。
【０２４３】
（付記３５）
付記３４に記載の方法であって、
前記有効時間長及び／又は前記第二指示情報の単位がシンボル、スロット、サブフレーム、及びｍｓのうちの少なくとも１つである、方法。
【０２４４】
（付記３６）
付記２０乃至３５のうちの任意の１項に記載の方法であって、
前記上りリンクデータの送信時刻が第一指示情報の有効時間長内にあれば、前記端末装置は前記送信時刻に前記上りリンクデータを送信し、
前記上りリンクデータの送信時刻が第一指示情報の前記有効時間長内に無ければ、前記端末装置は次の１つの第一指示情報を受信した後に前記上りリンクデータを送信する、方法。
【０２４５】
（付記３７）
付記３６に記載の方法であって、
前記データスケジューリング制御情報は前記送信時刻を指示する関連情報を含む、方法。
【０２４６】
（付記３８）
付記２０乃至３７のうちの任意の１項に記載の方法であって、
前記端末装置は次のようなリソースのうちの少なくとも１種のリソース上で前記第一指示情報を受信し、即ち、前記スケジューリング帯域幅リソース；前記スケジューリング帯域幅リソースのうちの１つの周波数領域帯域幅リソース；前記スケジューリング帯域幅リソースのうちの各周波数領域帯域幅リソース；及び前記ネットワーク装置が事前分配するリソースである、方法。
【０２４７】
（付記３９）
データ受信方法であって、
ネットワーク装置が端末装置にデータスケジューリング制御情報を、前記端末装置に上りリンクデータの関連情報の送信を指示するために送信し；
前記ネットワーク装置が前記端末装置送信の前記上りリンクデータを受信し；及び
前記ネットワーク装置が前記端末装置送信の、１つ又は複数の周波数領域帯域幅リソースを指示するための第一指示情報を受信する、方法。
【０２４８】
（付記４０）
付記３９に記載の方法であって、
前記ネットワーク装置はアンライセンス周波数バンド上で前記上りリンクデータを受信し、
前記ネットワーク装置はアンライセンス周波数バンド又はライセンス周波数バンド上で前記第一指示情報を受信し、及び／又は、前記データスケジューリング制御情報を送信する、方法。
【０２４９】
（付記４１）
付記３９又は４０に記載の方法であって、さらに、
前記ネットワーク装置が前記端末装置に、スケジューリング帯域幅リソースにおける周波数領域帯域幅リソースの検出を指示し；また、前記端末装置が前記スケジューリング帯域幅リソースの検出結果に基づいて、前記１つ又は複数の周波数領域帯域幅リソースを確定することを含む、方法。
【０２５０】
（付記４２）
付記４１に記載の方法であって、
前記スケジューリング帯域幅リソースは、アンライセンス周波数バンド周波数領域リソースである、方法。
【０２５１】
（付記４３）
付記４１又は４２に記載の方法であって、
前記スケジューリング帯域幅リソースは、１つのデフォルトのサイズであり；又は、前記スケジューリング帯域幅リソースは、前記ネットワーク装置が次のような方式のうちの少なくとも１種の方式で前記端末装置に通知し、即ち、
前記データスケジューリング制御情報により前記スケジューリング帯域幅を指示し；
上位層シグナリングにより前記スケジューリング帯域幅を設定し；及び
システム情報により前記スケジューリング帯域幅を設定する、方法。
【０２５２】
（付記４４）
付記３９乃至４３のうちの任意の１項に記載の方法であって、
前記第一指示情報はさらに、次のようなもののうちの少なくとも１つを指示するために用いられ、即ち、前記端末装置が前記上りリンクデータを送信する帯域幅リソース、前記ネットワーク装置が下りリンクデータを送信し得る帯域幅リソース、及び前記ネットワーク装置が前記端末装置のチャネル占用時間をシェアして下りリンクデータを送信し得る帯域幅リソースである、方法。
【０２５３】
（付記４５）
付記３９乃至４４のうちの任意の１項に記載の方法であって、
前記第一指示情報は前記上りリンクデータの後に前記ネットワーク装置により受信される、方法。
【０２５４】
（付記４６）
付記４１乃至４５のうちの任意の１項に記載の方法であって、
前記ネットワーク装置は、
前記スケジューリング帯域幅リソース上で前記第一指示情報を受信し；又は
前記スケジューリング帯域幅リソースのうちの１つの周波数領域帯域幅リソース上で前記第一指示情報を受信し；又は
前記スケジューリング帯域幅リソースのうちの各周波数領域帯域幅リソース上で前記第一指示情報を受信し；又は
前記ネットワーク装置が事前分配するリソース上で前記第一指示情報を受信する、方法。
【０２５５】
（付記４７）
付記３９乃至４６のうちの任意の１項に記載の方法であって、さらに、
前記ネットワーク装置が前記端末装置にスケジューリング方式情報を送信することを含み；そのうち、前記スケジューリング方式情報は、前記端末装置に、上りリンクデータトリガー情報を使用して又は使用せずに前記上りリンクデータを送信することを指示する、方法。
【０２５６】
（付記４８）
付記３９乃至４６のうちの任意の１項に記載の方法であって、さらに、
前記ネットワーク装置が前記端末装置にアンライセンス周波数バンドのチャネルアクセス方式指示情報を送信することを含み；そのうち、前記アンライセンス周波数バンドのチャネルアクセス方式指示情報は、前記端末装置に、上りリンクデータトリガー情報を使用して又は使用せずに前記上りリンクデータを送信するように確定することを指示する、方法。
【０２５７】
（付記４９）
付記４７又は４８に記載の方法であって、
前記ネットワーク装置は前記上りリンクデータトリガー情報を送信した後に前記上りリンクデータを受信し、前記データトリガー情報は前記端末装置が前記上りリンクデータを送信するようにトリガーするために用いられる、方法。
【０２５８】
（付記５０）
付記３９乃至４９のうちの任意の１項に記載の方法であって、
前記第一指示情報は指示情報及び／又はシーケンスシンボルを含む、方法。
【０２５９】
（付記５１）
データ送信方法であって、
端末装置がネットワーク装置送信のデータスケジューリング制御情報を、前記端末装置の上りリンクデータの関連情報の送信の指示のために受信し；
前記端末装置が前記ネットワーク装置に前記上りリンクデータを送信し；及び
前記端末装置が前記ネットワーク装置に、１つ又は複数の周波数領域帯域幅リソースを指示するための第一指示情報を送信することを含む、方法。
【０２６０】
（付記５２）
付記５１に記載の方法であって、
前記端末装置はアンライセンス周波数バンド上で前記上りリンクデータを送信し、
前記端末装置はアンライセンス周波数バンド又はライセンス周波数バンド上で前記第一指示情報を送信し、及び／又は、前記データスケジューリング制御情報を受信する、方法。
【０２６１】
（付記５３）
付記５１又は５２に記載の方法であって、さらに、
前記端末装置が前記ネットワーク装置の指示に基づいて、スケジューリング帯域幅における周波数領域帯域幅リソースを検出し；且つ
前記端末装置が１つ又は複数の帯域幅の検出結果に基づいて、前記１つ又は複数の周波数領域帯域幅リソースを確定することを含む、方法。
【０２６２】
（付記５４）
付記５３に記載の方法であって、
前記スケジューリング帯域幅リソースはアンライセンス周波数バンド周波数領域リソースである、方法。
【０２６３】
（付記５５）
付記５３又は５４に記載の方法であって、
前記スケジューリング帯域幅リソースは１つのデフォルトのサイズであり；又は、前記スケジューリング帯域幅は、前記ネットワーク装置が次のような方式のうちの少なくとも１種の方式で前記端末装置に通知し、即ち、
前記データスケジューリング制御情報により前記スケジューリング帯域幅を指示し；
上位層シグナリングにより前記スケジューリング帯域幅を設定し；及び
システム情報により前記スケジューリング帯域幅を設定する方式である、方法。
【０２６４】
（付記５６）
付記５１乃至５５のうちの任意の１項に記載の方法であって、
前記第一指示情報はさらに次のようなもののうちの少なくとも１つを指示するために用いられ、即ち、前記端末装置が前記上りリンクデータを送信する帯域幅リソース、前記ネットワーク装置が下りリンクデータを送信し得る帯域幅リソース、及び前記ネットワーク装置が前記端末装置のチャネル占用時間をシェアして下りリンクデータを送信し得る帯域幅リソースである、方法。
【０２６５】
（付記５７）
付記５１乃至５６のうちの任意の１項に記載の方法であって、
前記第一指示情報は前記上りリンクデータの後に前記端末装置により送信される、方法。
【０２６６】
（付記５８）
付記５１乃至５７のうちの任意の１項に記載の方法であって、
前記端末装置は、
前記上りリンクデータを送信した周波数領域リソース上で前記第一指示情報を送信し、又は
前記上りリンクデータを送信した１つ又は複数の周波数領域帯域幅リソースのうちの１つの周波数領域帯域幅リソース上で前記第一指示情報を送信し、又は
前記上りリンクデータを送信した各周波数領域帯域幅リソース上で前記第一指示情報を送信し、又は
前記ネットワーク装置が事前分配したリソース上で前記第一指示情報を送信する、方法。
【０２６７】
（付記５９）
付記５１乃至５８のうちの任意の１項に記載の方法であって、さらに、
前記端末装置が前記ネットワーク装置送信のスケジューリング方式情報を受信することを含み；そのうち、前記スケジューリング方式情報は、前記端末装置に、上りリンクデータトリガー情報を使用して又は使用せずに前記上りリンクデータを送信することを指示する、方法。
【０２６８】
（付記６０）
付記５１乃至５８のうちの任意の１項に記載の方法であって、さらに、
前記端末装置が前記ネットワーク装置送信のアンライセンス周波数バンドのチャネルアクセス方式指示情報を受信することを含み、前記端末装置は、前記アンライセンス周波数バンドのチャネルアクセス方式指示情報に基づいて、上りリンクデータトリガー情報を使用して又は使用せずに前記上りリンクデータを送信することを確認する、方法。
【０２６９】
（付記６１）
付記５９又は６０に記載の方法であって、
前記端末装置は前記上りリンクデータトリガー情報を受信した後に前記上りリンクデータを送信し、前記上りリンクデータトリガー情報は前記端末装置が前記上りリンクデータを送信するようにトリガーするために用いられる、方法。
【０２７０】
（付記６２）
付記５１乃至６０のうちの任意の１項に記載の方法であって、
前記第一指示情報は指示情報及び／又はシーケンスシンボルを含む、方法。
【０２７１】
（付記６３）
ネットワーク装置であって、
記憶器及び処理器を含み、前記記憶器はコンピュータプログラムを記憶しており、前記処理器は前記コンピュータプログラムを実行して付記１乃至１９のうちの任意の１項に記載のデータ受信方法、又は、付記３９乃至５０のうちの任意の１項に記載のデータ受信方法を実行するように構成される、ネットワーク装置。
【０２７２】
（付記６４）
端末装置であって、
記憶器及び処理器を含み、前記記憶器はコンピュータプログラムを記憶しており、前記処理器は前記コンピュータプログラムを実行して付記２０乃至３８のうちの任意の１項に記載のデータ送信方法、又は、付記５１乃至６２のうちの任意の１項に記載のデータ送信方法を実現するように構成される、端末装置。
【０２７３】
（付記６５）
ネットワークシステムであって、
付記６３に記載のネットワーク装置及び／又は付記６４に記載の端末装置を含む、ネットワークシステム。
【図１】
2021530159.tif 000005
【図２】
2021530159.tif 000006
【図３】
2021530159.tif 000007
【図４】
2021530159.tif 000008
【図５】
2021530159.tif 000009
【図６】
2021530159.tif 000010
【図７】
2021530159.tif 000011
【図８】
2021530159.tif 000012
【図９】
2021530159.tif 000013
【図１０】
2021530159.tif 000014
【図１１】
2021530159.tif 000015
【図１２】
2021530159.tif 000016
【図１３】
2021530159.tif 000017
【図１４】
2021530159.tif 000018
【図１５】
2021530159.tif 000019
【図１６】
2021530159.tif 000020
【図１７】
2021530159.tif 000021
【図１８】
2021530159.tif 000022
【図１９】
2021530159.tif 000023
【図２０】
2021530159.tif 000024
【図２１】
2021530159.tif 000025
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
データ受信装置であって、
端末装置にデータスケジューリング制御情報を送信する情報送信ユニットであって、前記データスケジューリング制御情報は、前記端末装置に、上りリンクデータを送信するための関連情報を指示するために用いられる、情報送信ユニット；
其前記端末装置に、１つ又は複数の周波数領域帯域幅リソースを指示するための第一指示情報を送信する指示送信ユニット；及び
前記端末装置により送信される前記上りリンクデータを受信するデータ受信ユニットを含む、データ受信装置。
【請求項２】
請求項１に記載のデータ受信装置であって、
前記データ受信ユニットはアンライセンス周波数バンドで前記上りリンクデータを受信し、
前記指示送信ユニットはアンライセンス周波数バンド又はライセンス周波数バンドで前記第一指示情報を送信し、及び／又は、前記情報送信ユニットはアンライセンス周波数バンド又はライセンス周波数バンドで前記データスケジューリング制御情報を送信する、データ受信装置。
【請求項３】
請求項１に記載のデータ受信装置であって、
アンライセンス周波数バンドのチャネルを検出して前記１つ又は複数の周波数領域帯域幅リソースを確定するチャネル検出ユニットをさらに含む、データ受信装置。
【請求項４】
請求項１に記載のデータ受信装置であって、
前記第一指示情報はさらに、
前記１つ又は複数の周波数領域帯域幅リソースが、
前記端末装置が上りリンクデータを送信し得る帯域幅リソース；
ネットワーク装置が下りリンクデータを送信する帯域幅リソース；及び
前記端末装置が前記ネットワーク装置のチャネル占用時間を共有して上りリンクデータを送信し得る帯域幅リソース
のうちの少なくとも１つであることを指示するために用いられる、データ受信装置。
【請求項５】
請求項１に記載のデータ受信装置であって、
前記第一指示情報は、前記データスケジューリング制御情報の後に送信され、又は、前記第一指示情報は、前記データスケジューリング制御情報の前に送信される、データ受信装置。
【請求項６】
請求項１に記載のデータ受信装置であって、
前記第一指示情報は、上りリンクデータトリガー情報をキャリー（ｃａｒｒｙ）する第一制御情報に含まれ、前記上りリンクデータトリガー情報は、前記端末装置が前記上りリンクデータを送信するようにトリガーするために用いられる、データ受信装置。
【請求項７】
請求項１に記載のデータ受信装置であって、
前記第一指示情報は、第一制御情報とは異なる第二制御情報に含まれ、前記第一制御情報は、前記端末装置が前記上りリンクデータを送信するようにトリガーするために用いられる上りリンクデータトリガー情報をキャリーし、
前記指示送信ユニットはさらに、前記端末装置に、前記上りリンクデータトリガー情報を含む前記第一制御情報を送信するために用いられる、データ受信装置。
【請求項８】
請求項１に記載のデータ受信装置であって、
前記データスケジューリング制御情報はさらに、１つ又は複数のスケジューリングされる帯域幅リソース上の可用時間周波数リソースを指示するために用いられる関連情報を含み、前記可用時間周波数リソースは、前記端末装置が前記上りリンクデータを送信するために用いられる、データ受信装置。
【請求項９】
請求項８に記載のデータ受信装置であって、
前記データ受信ユニットは、前記１つ又は複数の周波数領域帯域幅リソースと、前記可用時間周波数リソースとのオーバーラップリソースで前記上りリンクデータを受信する、データ受信装置。
【請求項１０】
請求項８に記載のデータ受信装置であって、
前記スケジューリングされる帯域幅リソースは、デフォルトのサイズであり；又は
前記スケジューリングされる帯域幅リソースは、
前記ネットワーク装置が、
前記データスケジューリング制御情報を用いて、前記スケジューリングされる帯域幅リソースを指示し；
上位層シグナリングを用いて、前記スケジューリングされる帯域幅リソースを設定し；及び
システム情報を用いて、前記スケジューリングされる帯域幅リソースを設定する
方式のうちの少なくとも１つの方式で、前記端末装置に通知する、データ受信装置。
【請求項１１】
請求項６に記載のデータ受信装置であって、
前記第一制御情報は、ユーザ専用制御情報又は共通制御情報であり、前記第一制御情報はさらに、上り下りリンク構成を指示するための第二指示情報を含む、データ受信装置。
【請求項１２】
請求項１１に記載のデータ受信装置であって、
前記第一制御情報はさらに、前記第一指示情報の有効時間長を指示する情報を含み、又は、前記第二指示情報はさらに、前記第一指示情報の有効時間長を指示するために用いられ、
前記有効時間長及び／又は前記第二指示情報の単位がシンボル、スロット、サブフレーム、及びｍｓのうちの少なくとも１つである、データ受信装置。
【請求項１３】
請求項１に記載のデータ受信装置であって、
前記上りリンクデータの送信時刻が前記第一指示情報の有効時間長内にあれば、前記データ受信ユニットは前記送信時刻において前記上りリンクデータを受信し、
前記上りリンクデータの送信時刻が前記第一指示情報の前記有効時間長内になければ、前記データ受信ユニットは次の１つの第一指示情報を送信した後に前記上りリンクデータを受信する、データ受信装置。
【請求項１４】
請求項１に記載のデータ受信装置であって、
前記第一指示情報が、
前記１つ又は複数の周波数領域帯域幅リソースの周波数領域リソース集合；
前記１つ又は複数の周波数領域帯域幅リソースのうちの１つの周波数領域帯域幅リソース；
前記１つ又は複数の周波数領域帯域幅リソースのうちの各周波数領域リソース；及び
前記ネットワーク装置により事前に割り当てられたライセンス周波数バンドのリソース
のうちの少なくとも１つのリソースで送信される、データ受信装置。
【請求項１５】
データ送信装置であって、
ネットワーク装置により送信されるデータスケジューリング制御情報を受信する情報受信ユニットであって、前記データスケジューリング制御情報は、端末装置に、上りリンクデータを送信するための関連情報を指示するために用いられる、情報受信ユニット；
前記ネットワーク装置により送信される、１つ又は複数の周波数領域帯域幅リソースを指示するための第一指示情報を受信する指示受信ユニット；及び
前記ネットワーク装置に前記上りリンクデータを送信するデータ送信ユニットを含む、データ送信装置。
【請求項１６】
データ送信装置であって、
ネットワーク装置により送信されるデータスケジューリング制御情報を受信する情報受信ユニットであって、前記データスケジューリング制御情報は、端末装置に、上りリンクデータを送信するための関連情報を指示するために用いられる、情報受信ユニット；
前記ネットワーク装置に前記上りリンクデータを送信するデータ送信ユニット；及び
前記ネットワーク装置に、１つ又は複数の周波数領域帯域幅リソースを指示するための第一指示情報を送信する指示送信ユニットを含む、データ送信装置。
【請求項１７】
請求項１６に記載のデータ送信装置であって、さらに、
前記ネットワーク装置の指示に基づいて、スケジューリングされる帯域幅リソースにおける周波数領域帯域幅リソースを検出する帯域幅検出ユニット；及び
１つ又は複数の帯域幅の検出結果に基づいて、前記１つ又は複数の周波数領域帯域幅リソースを確定するリソース確定ユニットを含む、データ送信装置。
【請求項１８】
請求項１６に記載のデータ送信装置であって、
前記第一指示情報はさらに、
前記１つ又は複数の周波数領域帯域幅リソースが、
前記端末装置が前記上りリンクデータを送信する帯域幅リソース；
前記ネットワーク装置が下りリンクデータを送信し得る帯域幅リソース；及び
前記ネットワーク装置が前記端末装置のチャネル占用時間を共有して下りリンクデータを送信し得る帯域幅リソース
のうちの少なくとも１つであることを指示するために用いられる、データ送信装置。
【請求項１９】
請求項１６に記載のデータ送信装置であって、
前記指示送信ユニットは、
前記上りリンクデータを送信した周波数領域リソースで前記第一指示情報を送信し；
前記上りリンクデータを送信した１つ又は複数の周波数領域帯域幅リソースのうちの１つの周波数領域リソースで前記第一指示情報を送信し；
前記上りリンクデータを送信した各周波数領域帯域幅リソースで前記第一指示情報を送信し；又は
前記ネットワーク装置により事前に割り当てられたリソースで前記第一指示情報を送信する、データ送信装置。
【請求項２０】
請求項１７に記載のデータ送信装置であって、
情報受信ユニットをさらに含み、
前記情報受信ユニットは、
前記ネットワーク装置により送信されるスケジューリング方式情報を受信し、前記スケジューリング方式情報は、前記端末装置が上りリンクデータトリガー情報を使用して又は使用せずに前記上りリンクデータを送信するように指示し；又は
前記ネットワーク装置により送信されるアンライセンス周波数バンドのチャネルアクセス方式指示情報を受信し、前記アンライセンス周波数バンドのチャネルアクセス方式指示情報は、前記端末装置が上りリンクデータトリガー情報を使用して又は使用せずに前記上りリンクデータを送信することを確定するように指示する、データ送信装置。
【国際調査報告】
2021530159.tif 000026
2021530159.tif 000027
2021530159.tif 000028
2021530159.tif 000029